(57)【特許請求の範囲】
【請求項１】
吸着剤を空気と接触させるための吸着素子（81,82）と、冷媒を循環させて冷凍サイクルを行う冷媒回路（100）とを備え、
第１空気中の水分を上記吸着素子（81,82）に吸着させる吸着動作と、上記冷媒回路（100）の冷媒により加熱された第２空気で上記吸着素子（81,82）を再生する再生動作とを行い、
上記吸着素子（81,82）で加湿された第２空気を室内へ供給して、上記吸着素子（81,82）で減湿された第１空気を室外へ排出する加湿運転を少なくとも行う調湿装置であって、
上記冷媒回路（100）には、凝縮器として機能して加湿運転中は上記吸着素子（81,82）へ供給される第２空気を冷媒と熱交換させる凝縮用熱交換器（102）と、蒸発器として機能して加湿運転中は上記吸着素子（81,82）で減湿された第１空気を冷媒と熱交換させる蒸発用熱交換器（104）とが設けられ、
上記蒸発用熱交換器（104）に加湿運転中に付着した霜を融かすためのデフロスト運転を、加湿運転中とは異なる状態の空気を該蒸発用熱交換器（104）へ送ることによって行う一方、
上記吸着素子（81,82）を複数備え、第１の吸着素子（81）へ第１空気を供給する吸着動作と第２の吸着素子（82）へ第２空気を供給する再生動作とを同時に行う第１動作と、第２の吸着素子（82）へ第１空気を供給する吸着動作と第１の吸着素子（81）へ第２空気を供給する再生動作とを同時に行う第２動作とを交互に繰り返すことによって加湿運転を行う調湿装置。
【請求項２】
吸着剤を空気と接触させるための吸着素子（81,82）と、冷媒を循環させて冷凍サイクルを行う冷媒回路（100）とを備え、
第１空気中の水分を上記吸着素子（81,82）に吸着させる吸着動作と、上記冷媒回路（100）の冷媒により加熱された第２空気で上記吸着素子（81,82）を再生する再生動作とを行い、
上記吸着素子（81,82）で加湿された第２空気を室内へ供給して、上記吸着素子（81,82）で減湿された第１空気を室外へ排出する加湿運転を少なくとも行う調湿装置であって、
上記冷媒回路（100）には、凝縮器として機能して加湿運転中は上記吸着素子（81,82）へ供給される第２空気を冷媒と熱交換させる凝縮用熱交換器（102）と、蒸発器として機能して加湿運転中は上記吸着素子（81,82）で減湿された第１空気を冷媒と熱交換させる蒸発用熱交換器（104）とが設けられ、
上記蒸発用熱交換器（104）に加湿運転中に付着した霜を融かすためのデフロスト運転を、加湿運転中とは異なる状態の空気を該蒸発用熱交換器（104）へ送ることによって行う一方、
上記吸着素子（81,82）には、流通する空気が吸着剤と接触する調湿側通路（85）と、流通する空気が上記調湿側通路（85）の空気と熱交換する冷却側通路（86）とが複数ずつ形成され、
加湿運転中には、第１空気が上記吸着素子（81,82）の調湿側通路（85）を通過後に蒸発用熱交換器（104）へ供給され、第２空気が上記吸着素子（81,82）の冷却側通路（86）を通過後に凝縮用熱交換器（102）へ供給される調湿装置。
【請求項３】
吸着剤を空気と接触させるための吸着素子（81,82）と、冷媒を循環させて冷凍サイクルを行う冷媒回路（100）とを備え、
第１空気中の水分を上記吸着素子（81,82）に吸着させる吸着動作と、上記冷媒回路（100）の冷媒により加熱された第２空気で上記吸着素子（81,82）を再生する再生動作とを行い、
上記吸着素子（81,82）で加湿された第２空気を室内へ供給して、上記吸着素子（81,82）で減湿された第１空気を室外へ排出する加湿運転を少なくとも行う調湿装置であって、
上記冷媒回路（100）には、凝縮器として機能して加湿運転中は上記吸着素子（81,82）へ供給される第２空気を冷媒と熱交換させる凝縮用熱交換器（102）と、蒸発器として機能して加湿運転中は上記吸着素子（81,82）で減湿された第１空気を冷媒と熱交換させる蒸発用熱交換器（104）とが設けられる一方、
上記蒸発用熱交換器（104）に加湿運転中に付着した霜を融かすためのデフロスト運転中には、第１空気及び第２空気の流通経路が加湿運転中と同様に保持されると共に、蒸発用熱交換器（104）へ送られる第１空気の流量が加湿運転中よりも削減される調湿装置。
【請求項４】
吸着剤を空気と接触させるための吸着素子（81,82）と、冷媒を循環させて冷凍サイクルを行う冷媒回路（100）とを備え、
第１空気中の水分を上記吸着素子（81,82）に吸着させる吸着動作と、上記冷媒回路（100）の冷媒により加熱された第２空気で上記吸着素子（81,82）を再生する再生動作とを行い、
上記吸着素子（81,82）で加湿された第２空気を室内へ供給して、上記吸着素子（81,82）で減湿された第１空気を室外へ排出する加湿運転を少なくとも行う調湿装置であって、
上記冷媒回路（100）には、凝縮器として機能して加湿運転中は上記吸着素子（81,82）へ供給される第２空気を冷媒と熱交換させる凝縮用熱交換器（102）と、蒸発器として機能して加湿運転中は上記吸着素子（81,82）で減湿された第１空気を冷媒と熱交換させる蒸発用熱交換器（104）とが設けられる一方、
上記蒸発用熱交換器（104）に加湿運転中に付着した霜を融かすためのデフロスト運転中には、取り込まれた室内空気が凝縮用熱交換器（102）で加熱されてから蒸発用熱交換器（104）へ供給される調湿装置。
【請求項５】
請求項４に記載の調湿装置において、
デフロスト運転中には、
蒸発用熱交換器（104）を通過した室内空気が室外へ排出されると共に、
取り込まれた室外空気が吸着素子（81,82）で吸着剤と接触してから室内へ供給される調湿装置。
【請求項６】
請求項２に記載の調湿装置において、
デフロスト運転中には、
取り込まれた室内空気が吸着素子（81,82）の冷却側通路（86）を通過後に凝縮用熱交換器（102）で加熱されてから蒸発用熱交換器（104）を通って室外へ排出されると共に、
取り込まれた室外空気が上記吸着素子（81,82）の調湿側通路（85）を通過する際に上記冷却側通路（86）の室内空気と熱交換してから室内へ供給される調湿装置。
【請求項７】
請求項２に記載の調湿装置において、
デフロスト運転中には、
取り込まれた室内空気が吸着素子（81,82）の冷却側通路（86）を通過後に凝縮用熱交換器（102）で加熱されてから蒸発用熱交換器（104）を通って室外へ排出されると共に、
取り込まれた室外空気が上記吸着素子（81,82）の調湿側通路（85）を通過する際に上記冷却側通路（86）の室内空気と熱交換し、該調湿側通路（85）を通過した室外空気の一部が室内へ供給されて残りが凝縮用熱交換器（102）で加熱された室内空気と共に蒸発用熱交換器（104）へ供給される調湿装置。
【請求項８】
吸着剤を空気と接触させるための吸着素子（81,82）と、冷媒を循環させて冷凍サイクルを行う冷媒回路（100）とを備え、
第１空気中の水分を上記吸着素子（81,82）に吸着させる吸着動作と、上記冷媒回路（100）の冷媒により加熱された第２空気で上記吸着素子（81,82）を再生する再生動作とを行い、
上記吸着素子（81,82）で加湿された第２空気を室内へ供給して、上記吸着素子（81,82）で減湿された第１空気を室外へ排出する加湿運転を少なくとも行う調湿装置であって、
上記冷媒回路（100）には、凝縮器として機能して加湿運転中は上記吸着素子（81,82）へ供給される第２空気を冷媒と熱交換させる凝縮用熱交換器（102）と、蒸発器として機能して加湿運転中は上記吸着素子（81,82）で減湿された第１空気を冷媒と熱交換させる蒸発用熱交換器（104）とが設けられる一方、
上記蒸発用熱交換器（104）に加湿運転中に付着した霜を融かすためのデフロスト運転中には、取り込まれた室内空気がそのままの状態で蒸発用熱交換器（104）へ供給される調湿装置。
【請求項９】
請求項８に記載の調湿装置において、
デフロスト運転中には、
蒸発用熱交換器（104）を通過した室内空気が室外へ排出されると共に、
取り込まれた室外空気が凝縮用熱交換器（102）で加熱された後に吸着素子（81,82）で吸着剤と接触してから室内へ供給される調湿装置。
【請求項１０】
請求項８に記載の調湿装置において、
デフロスト運転中には、
蒸発用熱交換器（104）を通過した室内空気が室外へ排出されると共に、
取り込まれた室外空気が吸着素子（81,82）で吸着剤と接触してから室内へ供給される調湿装置。
【請求項１１】
請求項２に記載の調湿装置において、
デフロスト運転中には、
取り込まれた室内空気が吸着素子（81,82）の調湿側通路（85）を通過後に蒸発用熱交換器（104）へ供給されると共に、
上記吸着素子（81,82）の冷却側通路（86）に対する空気の流入が阻止される調湿装置。
【請求項１２】
請求項１１に記載の調湿装置において、
デフロスト運転中には、
蒸発用熱交換器（104）を通過した室内空気が室外へ排出されると共に、
取り込まれた室外空気が凝縮用熱交換器（102）で加熱された後に室内空気の流れる調湿側通路（85）とは別の調湿側通路（85）を通過してから室内へ供給される調湿装置。
【請求項１３】
請求項１１に記載の調湿装置において、
デフロスト運転中には、
蒸発用熱交換器（104）を通過した室内空気が室外へ排出されると共に、
取り込まれた室外空気が上記室内空気の流れる調湿側通路（85）とは別の調湿側通路（85）を通過してから室内へ供給される調湿装置。
【請求項１４】
吸着剤を空気と接触させるための吸着素子（81,82）と、冷媒を循環させて冷凍サイクルを行う冷媒回路（100）とを備え、
第１空気中の水分を上記吸着素子（81,82）に吸着させる吸着動作と、上記冷媒回路（100）の冷媒により加熱された第２空気で上記吸着素子（81,82）を再生する再生動作とを行い、
上記吸着素子（81,82）で加湿された第２空気を室内へ供給して、上記吸着素子（81,82）で減湿された第１空気を室外へ排出する加湿運転を少なくとも行う調湿装置であって、
上記冷媒回路（100）には、凝縮器として機能して加湿運転中は上記吸着素子（81,82）へ供給される第２空気を冷媒と熱交換させる凝縮用熱交換器（102）と、蒸発器として機能して加湿運転中は上記吸着素子（81,82）で減湿された第１空気を冷媒と熱交換させる蒸発用熱交換器（104）とが設けられる一方、
上記蒸発用熱交換器（104）に加湿運転中に付着した霜を融かすためのデフロスト運転中には、取り込まれた室外空気が凝縮用熱交換器（102）で加熱されてから蒸発用熱交換器（104）へ供給される調湿装置。
【請求項１５】
吸着剤を空気と接触させるための吸着素子（81,82）と、冷媒を循環させて冷凍サイクルを行う冷媒回路（100）とを備え、
第１空気中の水分を上記吸着素子（81,82）に吸着させる吸着動作と、上記冷媒回路（100）の冷媒により加熱された第２空気で上記吸着素子（81,82）を再生する再生動作とを行い、
上記吸着素子（81,82）で加湿された第２空気を室内へ供給して、上記吸着素子（81,82）で減湿された第１空気を室外へ排出する加湿運転を少なくとも行う調湿装置であって、
上記冷媒回路（100）には、凝縮器として機能して加湿運転中は上記吸着素子（81,82）へ供給される第２空気を冷媒と熱交換させる凝縮用熱交換器（102）と、蒸発器として機能して加湿運転中は上記吸着素子（81,82）で減湿された第１空気を冷媒と熱交換させる蒸発用熱交換器（104）とが設けられる一方、
上記蒸発用熱交換器（104）に加湿運転中に付着した霜を融かすためのデフロスト運転中には、取り込まれた室外空気が凝縮用熱交換器（102）で加熱され、加熱された該室外空気の一部が蒸発用熱交換器（104）へ供給されて残りが室内へ供給される調湿装置。
【請求項１６】
請求項１５に記載の調湿装置において、
デフロスト運転中に室内へ供給される室外空気は、凝縮用熱交換器（102）で加熱された後に吸着素子（81,82）で吸着剤と接触してから室内へ送られる調湿装置。
【請求項１７】
請求項２に記載の調湿装置において、
デフロスト運転中には、
取り込まれた室外空気が凝縮用熱交換器（102）で加熱され、加熱された該室外空気の一部が蒸発用熱交換器（104）へ供給されて残りが吸着素子（81,82）の調湿側通路（85）を通過してから室内へ供給されると共に、
取り込まれた室内空気が上記室外空気の流れる調湿側通路（85）とは別の調湿側通路（85）を通過してから室外へ排出される調湿装置。
【発明の詳細な説明】
【０００１】
【発明の属する技術分野】
本発明は、空気の湿度調節を行う調湿装置に関するものである。
【０００２】
【従来の技術】
従来より、吸着剤を用いて空気の湿度調節を行う調湿装置が知られている。例えば、特開平１０−９６３３号公報には、吸着剤と空気を接触させるための吸着素子を２つ備えてバッチ式の動作を行う調湿装置が開示されている。また、この調湿装置には、冷凍サイクルを行う冷媒回路が設けられている。
【０００３】
上記調湿装置は、第１の吸着素子で処理空気が減湿されて第２の吸着素子が再生される第１動作と、第１の吸着素子が再生されて第２の吸着素子で処理空気が減湿される第２動作とを交互に繰り返す。その際、処理空気は、吸着素子で減湿され、更に冷媒回路の蒸発器で冷却されてから室内へ供給される。また、再生空気は、冷媒回路の凝縮器で加熱されてから吸着素子へ供給される。そして、高温の再生空気が供給された吸着素子から水分が脱離し、その吸着素子が再生される。このように、上記調湿装置の冷媒回路では、その凝縮器において再生空気と冷媒が熱交換し、その蒸発器において処理空気と冷媒が熱交換する。
【０００４】
【発明が解決しようとする課題】
上記調湿装置の冷媒回路では、その蒸発器において、いわゆる着霜（フロスト）の問題が生じる。つまり、冷媒回路の冷媒と熱交換する再生空気や処理空気の温度等は、調湿装置の運転条件によって変動する。そして、運転条件によっては、蒸発器における冷媒の蒸発温度が０℃を下回り、空気中の水分が蒸発器の表面て凍結する場合もある。
【０００５】
このように、蒸発器の表面に霜が付着すると、冷媒と空気の熱交換が阻害され、空気が蒸発器を通過する際の抵抗も増大する。そして、蒸発器に付着した霜を放置しておくと、冷媒回路における冷凍サイクルを継続できなくなり、調湿装置の運転を停止させざるを得なくなる。
【０００６】
ところが、上記調湿装置では、この着霜の問題に対して何ら対策が講じられていなかった。このため、上記調湿装置では、運転条件によっては調湿装置の運転ができなくなるという問題があった。
【０００７】
本発明は、かかる点に鑑みてなされたものであり、その目的とするところは、冷媒回路を備える調湿装置において、蒸発器となる熱交換器に付着した霜を融かすための運転を行い、調湿装置の運転を継続可能とすることにある。
【０００８】
【課題を解決するための手段】
本発明が講じた第１，第２，第３，第４，第８，第１４及び第１５の各解決手段は、吸着剤を空気と接触させるための吸着素子（81,82）と、冷媒を循環させて冷凍サイクルを行う冷媒回路（100）とを備え、第１空気中の水分を上記吸着素子（81,82）に吸着させる吸着動作と、上記冷媒回路（100）の冷媒により加熱された第２空気で上記吸着素子（81,82）を再生する再生動作とを行い、上記吸着素子（81,82）で加湿された第２空気を室内へ供給して、上記吸着素子（81,82）で減湿された第１空気を室外へ排出する加湿運転を少なくとも行う調湿装置を対象としている。
【０００９】
そして、上記冷媒回路（100）には、凝縮器として機能して加湿運転中は上記吸着素子（81,82）へ供給される第２空気を冷媒と熱交換させる凝縮用熱交換器（102）と、蒸発器として機能して加湿運転中は上記吸着素子（81,82）で減湿された第１空気を冷媒と熱交換させる蒸発用熱交換器（104）とが設けられる一方、上記蒸発用熱交換器（104）に加湿運転中に付着した霜を融かすためのデフロスト運転を、加湿運転中とは異なる状態の空気を該蒸発用熱交換器（104）へ送ることによって行うものである。
【００１０】
更に、上記第１の解決手段は、吸着素子（81,82）を複数備える一方、第１の吸着素子（81）へ第１空気を供給する吸着動作と第２の吸着素子（82）へ第２空気を供給する再生動作とを同時に行う第１動作と、第２の吸着素子（82）へ第１空気を供給する吸着動作と第１の吸着素子（81）へ第２空気を供給する再生動作とを同時に行う第２動作とを交互に繰り返すことによって加湿運転を行うものである。
【００１１】
また、上記第２の解決手段は、吸着素子（81,82）には、流通する空気が吸着剤と接触する調湿側通路（85）と、流通する空気が上記調湿側通路（85）の空気と熱交換する冷却側通路（86）とが複数ずつ形成され、加湿運転中には、第１空気が上記吸着素子（81,82）の調湿側通路（85）を通過後に蒸発用熱交換器（104）へ供給され、第２空気が上記吸着素子（81,82）の冷却側通路（86）を通過後に凝縮用熱交換器（102）へ供給されるものである。
【００１２】
また、上記第３の解決手段は、デフロスト運転中には、第１空気及び第２空気の流通経路が加湿運転中と同様に保持されると共に、蒸発用熱交換器（104）へ送られる第１空気の流量が加湿運転中よりも削減されるものである。
【００１３】
また、上記第４の解決手段は、デフロスト運転中には、取り込まれた室内空気が凝縮用熱交換器（102）で加熱されてから蒸発用熱交換器（104）へ供給されるものである。
【００１４】
本発明が講じた第５の解決手段は、上記第４の解決手段において、デフロスト運転中には、蒸発用熱交換器（104）を通過した室内空気が室外へ排出されると共に、取り込まれた室外空気が吸着素子（81,82）で吸着剤と接触してから室内へ供給されるものである。
【００１５】
本発明が講じた第６の解決手段は、上記第２の解決手段において、デフロスト運転中には、取り込まれた室内空気が吸着素子（81,82）の冷却側通路（86）を通過後に凝縮用熱交換器（102）で加熱されてから蒸発用熱交換器（104）を通って室外へ排出されると共に、取り込まれた室外空気が上記吸着素子（81,82）の調湿側通路（85）を通過する際に上記冷却側通路（86）の室内空気と熱交換してから室内へ供給されるものである。
【００１６】
本発明が講じた第７の解決手段は、上記第２の解決手段において、デフロスト運転中には、取り込まれた室内空気が吸着素子（81,82）の冷却側通路（86）を通過後に凝縮用熱交換器（102）で加熱されてから蒸発用熱交換器（104）を通って室外へ排出されると共に、取り込まれた室外空気が上記吸着素子（81,82）の調湿側通路（85）を通過する際に上記冷却側通路（86）の室内空気と熱交換し、該調湿側通路（85）を通過した室外空気の一部が室内へ供給されて残りが凝縮用熱交換器（102）で加熱された室内空気と共に蒸発用熱交換器（104）へ供給されるものである。
【００１７】
また、上記第８の解決手段は、デフロスト運転中には、取り込まれた室内空気がそのままの状態で蒸発用熱交換器（104）へ供給されるものである。
【００１８】
本発明が講じた第９の解決手段は、上記第８の解決手段において、デフロスト運転中には、蒸発用熱交換器（104）を通過した室内空気が室外へ排出されると共に、取り込まれた室外空気が凝縮用熱交換器（102）で加熱された後に吸着素子（81,82）で吸着剤と接触してから室内へ供給されるものである。
【００１９】
本発明が講じた第１０の解決手段は、上記第８の解決手段において、デフロスト運転中には、蒸発用熱交換器（104）を通過した室内空気が室外へ排出されると共に、取り込まれた室外空気が吸着素子（81,82）で吸着剤と接触してから室内へ供給されるものである。
【００２０】
本発明が講じた第１１の解決手段は、上記第２の解決手段において、デフロスト運転中には、取り込まれた室内空気が吸着素子（81,82）の調湿側通路（85）を通過後に蒸発用熱交換器（104）へ供給されると共に、上記吸着素子（81,82）の冷却側通路（86）に対する空気の流入が阻止されるものである。
【００２１】
本発明が講じた第１２の解決手段は、上記第１１の解決手段において、デフロスト運転中には、蒸発用熱交換器（104）を通過した室内空気が室外へ排出されると共に、取り込まれた室外空気が凝縮用熱交換器（102）で加熱された後に室内空気の流れる調湿側通路（85）とは別の調湿側通路（85）を通過してから室内へ供給されるものである。
【００２２】
本発明が講じた第１３の解決手段は、上記第１１の解決手段において、デフロスト運転中には、蒸発用熱交換器（104）を通過した室内空気が室外へ排出されると共に、取り込まれた室外空気が上記室内空気の流れる調湿側通路（85）とは別の調湿側通路（85）を通過してから室内へ供給されるものである。
【００２３】
また、上記第１４の解決手段は、デフロスト運転中には、取り込まれた室外空気が凝縮用熱交換器（102）で加熱されてから蒸発用熱交換器（104）へ供給されるものである。
【００２４】
また、上記第１５の解決手段は、デフロスト運転中には、取り込まれた室外空気が凝縮用熱交換器（102）で加熱され、加熱された該室外空気の一部が蒸発用熱交換器（104）へ供給されて残りが室内へ供給されるものである。
【００２５】
本発明が講じた第１６の解決手段は、上記第１５の解決手段において、デフロスト運転中に室内へ供給される室外空気は、凝縮用熱交換器（102）で加熱された後に吸着素子（81,82）で吸着剤と接触してから室内へ送られるものである。
【００２６】
本発明が講じた第１７の解決手段は、上記第２の解決手段において、デフロスト運転中には、取り込まれた室外空気が凝縮用熱交換器（102）で加熱され、加熱された該室外空気の一部が蒸発用熱交換器（104）へ供給されて残りが吸着素子（81,82）の調湿側通路（85）を通過してから室内へ供給されると共に、取り込まれた室内空気が上記室外空気の流れる調湿側通路（85）とは別の調湿側通路（85）を通過してから室外へ排出されるものである。
【００２７】
−作用−
上記第１，第２，第３，第４，第８，第１４及び第１５の各解決手段では、調湿装置において、吸着動作と再生動作とが行われる。吸着動作時の吸着素子（81,82）では、第１空気が吸着剤と接触し、第１空気中の水蒸気が吸着剤に吸着される。一方、再生動作時の吸着素子（81,82）では、加熱された第２空気が吸着剤と接触し、吸着剤から水蒸気が脱離する。つまり、吸着素子（81,82）が再生される。吸着剤から脱離した水蒸気は、第２空気に付与される。
【００２８】
これらの解決手段の調湿装置は、加湿運転を行えるように構成される。加湿運転中には、吸着素子（81,82）で加湿された第２空気が室内へ供給されると共に、吸着素子（81,82）で減湿された第１空気が室外へ排出される。尚、この調湿装置は、加湿運転に加えて、吸着素子（81,82）で減湿された第１空気を室内へ供給する運転も可能に構成されていてもよい。
【００２９】
これらの解決手段の冷媒回路（100）では、冷媒が循環して冷凍サイクルが行われる。加湿運転中に冷媒回路（100）を循環する冷媒は、凝縮用熱交換器（102）で第２空気へ放熱して凝縮し、蒸発用熱交換器（104）で第１空気から吸熱して蒸発する。再生動作時の吸着素子（81,82）に対しては、凝縮用熱交換器（102）で加熱された第２空気が供給される。
【００３０】
加湿運転中に蒸発用熱交換器（104）で着霜が生じた場合には、デフロスト運転が行われる。デフロスト運転中は、蒸発用熱交換器（104）に対して、加湿運転中とは異なる状態の空気が供給される。尚、ここでいう空気の状態とは、空気の温度、湿度、流量などを意味する。このデフロスト運転を行うことで、蒸発用熱交換器（104）に付着した霜が融解する。
【００３１】
上記第１の解決手段では、加湿運転中の調湿装置において、第１動作と第２動作とが交互に繰り返し行われる。
【００３２】
先ず、第１動作時には、第１の吸着素子（81）へ第１空気が送られる。第１の吸着素子（81）では、第１空気中の水分が吸着剤に吸着される。一方、第２の吸着素子（82）へは、凝縮用熱交換器（102）で加熱された第２空気が供給される。第２の吸着素子（82）では、第２空気によって吸着剤が加熱され、吸着剤から水分が脱離する。つまり、第２の吸着素子（82）が再生され、同時に第２空気が加湿される。
【００３３】
次に、第２動作時には、第２の吸着素子（82）へ第１空気が送られる。第２の吸着素子（82）では、第１空気中の水分が吸着剤に吸着される。一方、第１の吸着素子（81）へは、凝縮用熱交換器（102）で加熱された第２空気が供給される。第１の吸着素子（81）では、第２空気によって吸着剤が加熱され、吸着剤から水分が脱離する。つまり、第１の吸着素子（81）が再生され、同時に第２空気が加湿される。
【００３４】
上記第２の解決手段では、吸着素子（81,82）に調湿側通路（85）と冷却側通路（86）とが設けられる。加湿運転中に吸着動作の対象となっている吸着素子（81,82）では、調湿側通路（85）へ第１空気が送り込まれて、冷却側通路（86）へ第２空気が送り込まれる。調湿側通路（85）では、第１空気中の水蒸気が吸着剤に吸着される際に吸着熱が発生する。一方、冷却側通路（86）では、流通する第２空気が調湿側通路（85）の第１空気と熱交換し、調湿側通路（85）で生じた吸着熱を吸収する。この冷却側通路（86）から出た第２空気は、凝縮用熱交換器（102）へ送られて更に加熱される。
【００３５】
上記第３の解決手段において、デフロスト運転中の調湿装置では、第１空気及び第２空気の流通経路が加湿運転中と同様に保持される。従って、蒸発用熱交換器（104）に対しては、加湿運転中と同様に第１空気が供給される。ただし、蒸発用熱交換器（104）へ送られる第１空気の流量は、加湿運転中よりも少なく設定される。つまり、蒸発用熱交換器（104）に対しては、加湿運転中と異なる流量の第１空気が供給される。蒸発用熱交換器（104）で冷媒と熱交換する第１空気の流量が減ると、蒸発用熱交換器（104）における冷媒蒸発温度が上昇する。このため、蒸発用熱交換器（104）の温度が上昇し、その表面に付着した霜が融ける。
【００３６】
上記第４の解決手段において、デフロスト運転中の調湿装置は、室内空気を取り込む。調湿装置に取り込まれた室内空気は、凝縮用熱交換器（102）で冷媒と熱交換してから蒸発用熱交換器（104）へ送られる。つまり、加湿運転中とは異なり、凝縮用熱交換器（102）で加熱された室内空気が蒸発用熱交換器（104）へ送られる。そして、蒸発用熱交換器（104）に付着した霜は、凝縮用熱交換器（102）で加熱された室内空気によって融かされる。
【００３７】
上記第５の解決手段では、デフロスト運転中に蒸発用熱交換器（104）へ供給された室内空気が、蒸発用熱交換器（104）を通過した後に室外へ排出される。更に、デフロスト運転中の調湿装置は、室外空気を取り込む。調湿装置に取り込まれた室外空気は、吸着素子（81,82）で吸着剤と接触した後に室内へ供給される。吸着素子（81,82）では、室外空気中の水分が吸着剤に吸着される際に吸着熱が発生し、室外空気の温度が上昇する。このように、デフロスト運転中において、調湿装置は、蒸発用熱交換器（104）のデフロストと共に、室内の換気をも行う。また、デフロスト運転中に吸着素子（81,82）が室外空気から奪った水分は、加湿運転の再開後に第２空気の加湿に利用される。
【００３８】
上記第６の解決手段において、デフロスト運転中の調湿装置は、室内空気と室外空気を取り込む。調湿装置に取り込まれた室内空気は、吸着素子（81,82）の冷却側通路（86）を通過し、その後に凝縮用熱交換器（102）で冷媒と熱交換してから蒸発用熱交換器（104）へ送られる。つまり、加湿運転中とは異なり、凝縮用熱交換器（102）で加熱された室内空気が蒸発用熱交換器（104）へ送られる。そして、蒸発用熱交換器（104）に付着した霜は、凝縮用熱交換器（102）で加熱された室内空気によって融かされる。
【００３９】
一方、調湿装置に取り込まれた室外空気は、吸着素子（81,82）の調湿側通路（85）を通過し、その後に室内へ供給される。吸着素子（81,82）では、冷却側通路（86）の室内空気と調湿側通路（85）の室外空気とが熱交換を行う。つまり、吸着素子（81,82）では、室外へ排出される室内空気と、室内へ供給される室外空気とが熱交換を行う。尚、デフロスト運転中には室外空気中の水分が吸着素子（81,82）に奪われるが、この吸着素子（81,82）が奪った水分は、加湿運転の再開後に第２空気を加湿するために利用される。
【００４０】
上記第７の解決手段において、デフロスト運転中の調湿装置は、室内空気と室外空気を取り込む。調湿装置に取り込まれた室内空気は、吸着素子（81,82）の冷却側通路（86）を通過し、その後に凝縮用熱交換器（102）で冷媒と熱交換してから蒸発用熱交換器（104）へ送られる。一方、調湿装置に取り込まれた室外空気は、吸着素子（81,82）の調湿側通路（85）を通過し、その際に冷却側通路（86）の室内空気と熱交換を行う。そして、吸着素子（81,82）の調湿側通路（85）から出た室外空気の一部が、蒸発用熱交換器（104）へ送られる。つまり、加湿運転中とは異なり、凝縮用熱交換器（102）で加熱された室内空気と、吸着素子（81,82）を通過した室外空気とが蒸発用熱交換器（104）へ送られる。そして、蒸発用熱交換器（104）に付着した霜は、供給された空気によって融かされる。
【００４１】
本解決手段において、吸着素子（81,82）の調湿側通路（85）から出た室外空気の残りは、室内へ供給される。つまり、室外空気は、吸着素子（81,82）で室外へ排出される室内空気と熱交換した後に、室内へ供給される。尚、デフロスト運転中には室外空気中の水分が吸着素子（81,82）に奪われるが、この吸着素子（81,82）が奪った水分は、加湿運転の再開後に第２空気を加湿するために利用される。
【００４２】
上記第８の解決手段では、デフロスト運転中の調湿装置は、室内空気を取り込む。調湿装置に取り込まれた室内空気は、温度調節や湿度調節を施されることなく、そのままの状態で蒸発用熱交換器（104）へ送られる。つまり、加湿運転中とは異なり、ほぼ調湿装置に取り込まれた状態の室内空気が蒸発用熱交換器（104）へ送られる。ここで、蒸発用熱交換器（104）における着霜の問題が生じるのは外気温の低い冬季であり、冬季には室内が暖房されている。従って、蒸発用熱交換器（104）に付着した霜は、暖房中の暖かい室内空気によって融かされる。
【００４３】
上記第９の解決手段では、デフロスト運転中に蒸発用熱交換器（104）へ供給された室内空気が、蒸発用熱交換器（104）を通過した後に室外へ排出される。更に、デフロスト運転中の調湿装置は、室外空気を取り込む。調湿装置に取り込まれた室外空気は、凝縮用熱交換器（102）で加熱され、その後に吸着素子（81,82）へ送られる。吸着素子（81,82）では、加熱された室外空気との接触により吸着剤から水分が脱離し、室外空気が加湿される。そして、吸着素子（81,82）で加湿された室外空気が、室内へ供給される。このように、デフロスト運転中において、調湿装置は、蒸発用熱交換器（104）のデフロストと共に、室内の換気や、給気される室外空気の加湿をも行う。
【００４４】
上記第１０の解決手段では、デフロスト運転中に蒸発用熱交換器（104）へ供給された室内空気が、蒸発用熱交換器（104）を通過した後に室外へ排出される。更に、デフロスト運転中の調湿装置は、室外空気を取り込む。調湿装置に取り込まれた室外空気は、吸着素子（81,82）で吸着剤と接触した後に室内へ供給される。吸着素子（81,82）では、室外空気中の水分が吸着剤に吸着される際に吸着熱が発生し、室外空気の温度が上昇する。このように、デフロスト運転中において、調湿装置は、蒸発用熱交換器（104）のデフロストと共に、室内の換気をも行う。また、デフロスト運転中に吸着素子（81,82）が室外空気から奪った水分は、加湿運転の再開後に第２空気の加湿に利用される。
【００４５】
上記第１１の解決手段において、デフロスト運転中の調湿装置は、室内空気を取り込む。調湿装置に取り込まれた室内空気は、吸着素子（81,82）の調湿側通路（85）へ導入される。その際、吸着素子（81,82）の冷却側通路（86）では、空気の流通が阻止されている。吸着素子（81,82）の調湿側通路（85）では、室内空気中の水分が吸着剤に吸着される際に吸着熱が発生し、室内空気の温度が上昇する。つまり、加湿運転中とは異なり、吸着熱によって加熱された室内空気が蒸発用熱交換器（104）へ送られる。そして、蒸発用熱交換器（104）に付着した霜は、吸着素子（81,82）の調湿側通路（85）で加熱された室内空気によって融かされる。
【００４６】
上記第１２の解決手段では、デフロスト運転中に蒸発用熱交換器（104）へ供給された室内空気が、蒸発用熱交換器（104）を通過した後に室外へ排出される。更に、デフロスト運転中の調湿装置は、室外空気を取り込む。調湿装置に取り込まれた室外空気は、凝縮用熱交換器（102）で加熱され、その後に吸着素子（81,82）へ送られる。その際、加熱された室外空気は、室内空気の流れる調湿側通路（85）とは別の調湿側通路（85）へ導入される。この調湿側通路（85）では、加熱された室外空気との接触により吸着剤から水分が脱離し、室外空気が加湿される。そして、室内へは、吸着素子（81,82）で加湿された室外空気が供給される。このように、デフロスト運転中において、調湿装置は、蒸発用熱交換器（104）のデフロストと共に、室内の換気や、給気される室外空気の加湿をも行う。
【００４７】
上記第１３の解決手段では、デフロスト運転中に蒸発用熱交換器（104）へ供給された室内空気が、蒸発用熱交換器（104）を通過した後に室外へ排出される。更に、デフロスト運転中の調湿装置は、室外空気を取り込む。調湿装置に取り込まれた室外空気は、吸着素子（81,82）の調湿側通路（85）へ送られる。その際、この室外空気は、室内空気の流れる調湿側通路（85）とは別の調湿側通路（85）へ導入される。この調湿側通路（85）では、室外空気中の水分が吸着剤に吸着される際に吸着熱が発生し、室外空気の温度が上昇する。そして、室内へは、この調湿側通路（85）から出た室外空気が供給される。このように、デフロスト運転中において、調湿装置は、蒸発用熱交換器（104）のデフロストと共に、室内の換気をも行う。また、デフロスト運転中に吸着素子（81,82）が室外空気から奪った水分は、加湿運転の再開後に第２空気の加湿に利用される。
【００４８】
上記第１４の解決手段では、デフロスト運転中の調湿装置は、室外空気を取り込む。調湿装置に取り込まれた室外空気は、凝縮用熱交換器（102）で冷媒と熱交換してから蒸発用熱交換器（104）へ送られる。つまり、加湿運転中とは異なり、凝縮用熱交換器（102）で加熱された室外空気が蒸発用熱交換器（104）へ送られる。そして、蒸発用熱交換器（104）に付着した霜は、凝縮用熱交換器（102）で加熱された室外空気によって融かされる。
【００４９】
上記第１５の解決手段において、デフロスト運転中の調湿装置は、室内空気と室外空気を取り込む。調湿装置に取り込まれた室外空気は、凝縮用熱交換器（102）で冷媒と熱交換して加熱される。その後、加熱された室外空気は、その一部が蒸発用熱交換器（104）へ供給され、残りが室内へ供給される。つまり、加湿運転中とは異なり、凝縮用熱交換器（102）で加熱された室外空気が蒸発用熱交換器（104）へ送られる。そして、蒸発用熱交換器（104）に付着した霜は、供給された空気によって融かされる。
【００５０】
上記第１６の解決手段では、凝縮用熱交換器（102）で加熱された後に室内へ供給される室外空気が吸着素子（81,82）を通過する。つまり、凝縮用熱交換器（102）から出た室外空気は、吸着素子（81,82）を通過してから室内へ供給される。吸着素子（81,82）では、加熱された室外空気との接触により吸着剤から水分が脱離し、室外空気が加湿される。そして、吸着素子（81,82）で加湿された室外空気が、室内へ供給される。このように、デフロスト運転中において、調湿装置は、蒸発用熱交換器（104）のデフロストと共に、給気される室外空気の加湿をも行う。
【００５１】
上記第１７の解決手段において、デフロスト運転中の調湿装置は、室外空気を取り込む。調湿装置に取り込まれた室外空気は、凝縮用熱交換器（102）で冷媒と熱交換して加熱される。その後、加熱された室外空気は、その一部が蒸発用熱交換器（104）へ供給され、残りが吸着素子（81,82）の調湿側通路（85）へ導入される。つまり、加湿運転中とは異なり、凝縮用熱交換器（102）で加熱された室外空気が蒸発用熱交換器（104）へ送られる。そして、蒸発用熱交換器（104）に付着した霜は、供給された空気によって融かされる。また、吸着素子（81,82）の調湿側通路（85）では、加熱された室外空気との接触により吸着剤から水分が脱離し、室外空気が加湿される。そして、吸着素子（81,82）で加湿された室外空気が、室内へ供給される。
【００５２】
また、本解決手段の調湿装置は、デフロスト運転中に室内空気を取り込む。調湿装置に取り込まれた室内空気は、吸着素子（81,82）の調湿側通路（85）へ送られる。その際、この室内空気は、室外空気の流れる調湿側通路（85）とは別の調湿側通路（85）へ導入される。この調湿側通路（85）では、室内空気中の水分が吸着剤に吸着される。この調湿側通路（85）から出た室内空気は、その後に室外へ排出される。このように、デフロスト運転中において、調湿装置は、蒸発用熱交換器（104）のデフロストと共に、室内の換気や、給気される室外空気の加湿をも行う。また、デフロスト運転中に吸着素子（81,82）が室内空気から奪った水分は、加湿運転の再開後に第２空気の加湿に利用される。
【００５３】
【発明の効果】
本発明によれば、冷媒回路（100）を備える調湿装置において、蒸発用熱交換器（104）で着霜が生じた場合であっても、デフロスト運転を行うことによって蒸発用熱交換器（104）に付着した霜を融かすことができる。このため、蒸発用熱交換器（104）で着霜が生じるような運転条件であっても、デフロスト運転を行って蒸発用熱交換器（104）の霜を融かせば、その後は加湿運転を再開することが可能となる。従って、本発明によれば、そのような運転条件においても、調湿装置の運転を継続させることができる。
【００５４】
ここで、例えば、いわゆる逆サイクルデフロストのように、冷媒回路（100）での冷媒の循環経路を変更することによっても、蒸発用熱交換器（104）の霜を融かすことは可能である。しかしながら、このような方策を採るには、冷媒の流れを切り換えるための弁などを冷媒回路（100）に設ける必要が生じ、冷媒回路（100）の複雑化を招く。
【００５５】
これに対し、本発明に係る調湿装置では、加湿運転中と異なる状態の空気を該蒸発用熱交換器（104）へ送ることによってデフロスト運転を行っている。このため、冷媒回路（100）の構成を何ら変更することなく、デフロスト運転を行うことが可能となる。従って、本発明によれば、冷媒回路（100）の構成を簡素に維持しながら、デフロスト運転を行うことができる。
【００５６】
上記第２の解決手段では、吸着素子（81,82）に冷却側通路（86）を形成し、吸着動作中に発生する吸着熱を第２空気に吸収させている。従って、本解決手段によれば、発生した吸着熱による第１空気の温度上昇を抑制することが可能となる。この結果、吸着素子（81,82）の調湿側通路（85）を流れる第１空気の相対湿度が低下するのを抑制でき、吸着剤に吸着される水蒸気の量を増大させることができる。
【００５７】
更に、この解決手段では、第２空気を先ず冷却用流体として吸着素子（81,82）の冷却側通路（86）へ導入し、この冷却側通路（86）から出た第２空気を凝縮用熱交換器（102）で加熱している。つまり、吸着素子（81,82）の再生に用いられる第２空気は、凝縮用熱交換器（102）だけでなく吸着素子（81,82）の冷却側通路（86）においても加熱される。従って、本解決手段によれば、凝縮用熱交換器（102）で第２空気に与えねばならない熱量を削減でき、調湿装置の運転に要するエネルギを削減できる。
【００５８】
上記第３の解決手段によれば、蒸発用熱交換器（104）に対する第１空気の供給量を変更するだけで、蒸発用熱交換器（104）のデフロスト（除霜）が可能となる。従って、本解決手段によれば、加湿運転からデフロスト運転へ移行する際における調湿装置の運転状態の変化を、最小限に留めることができる。
【００５９】
上記第４の解決手段によれば、予め凝縮用熱交換器（102）で加熱された空気を蒸発用熱交換器（104）へ送ることで、蒸発用熱交換器（104）の霜を短時間で確実に融かすことができる。ここで、蒸発用熱交換器（104）における着霜の問題が生じるのは外気温の低い冬季であり、冬季には室内が暖房されている。そして、本解決手段のデフロスト運転では、暖房で暖められた状態の室内空気を凝縮用熱交換器（102）で更に加熱した上で、蒸発用熱交換器（104）へ供給している。従って、本解決手段によれば、蒸発用熱交換器（104）のデフロストを確実に行うことができ、更にはデフロスト運転に要する時間を短縮できる。
【００６０】
上記第５の解決手段によれば、デフロスト運転中において、蒸発用熱交換器（104）のデフロストだけでなく、室内の換気をも行うことができる。また、室内へ供給される室外空気を吸着素子（81,82）で吸着剤と接触させることにより、室外空気を吸着熱で暖めてから室内へ供給することが可能となる。
【００６１】
上記第６，第７の解決手段によれば、凝縮用熱交換器（102）で加熱された空気を蒸発用熱交換器（104）へ送ることで、蒸発用熱交換器（104）の霜を短時間で確実に融かすことができる。また、これらの解決手段によれば、デフロスト運転中において、蒸発用熱交換器（104）のデフロストだけでなく、室内の換気をも行うことができる。
【００６２】
ここで、蒸発用熱交換器（104）における着霜の問題が生じるのは外気温の低い冬季であり、冬季には室内が暖房されている。一方、第６，第７の解決手段に係る調湿装置では、デフロスト運転中に室内へ供給される室外空気を、暖房により暖められた室内空気と吸着素子（81,82）で熱交換させている。従って、排気される室内空気の温熱を給気される室外空気へと回収でき、換気に伴う暖房負荷の増大を抑制できる。
【００６３】
特に、上記第７の解決手段では、吸着素子（81,82）で暖かい室内空気と熱交換した室外空気をも、蒸発用熱交換器（104）へ供給している。このため、本解決手段によれば、デフロスト運転中に蒸発用熱交換器（104）へ供給される空気量を充分に確保でき、蒸発用熱交換器（104）のデフロストを短時間で確実に行うことが可能となる。
【００６４】
上記第８の解決手段によれば、取り込んだ室内空気をそのまま蒸発用熱交換器（104）へ送ることで、蒸発用熱交換器（104）の霜を融かすことができる。つまり、デフロスト運転が行われる冬季には室内が暖房されていることを利用し、暖房中の暖かい室内空気を用いて蒸発用熱交換器（104）のデフロストを確実に行うことができる。
【００６５】
上記第９の解決手段によれば、デフロスト運転中において、蒸発用熱交換器（104）のデフロストだけでなく、室内の換気をも行うことができる。また、本解決手段によれば、デフロスト運転中であっても、室内へ供給される空気の加湿を継続することができる。従って、蒸発用熱交換器（104）のデフロストを行いながらも、加湿運転中と同様に室内へ供給される空気を加湿することが可能となる。
【００６６】
上記第１０の解決手段によれば、デフロスト運転中において、蒸発用熱交換器（104）のデフロストだけでなく、室内の換気をも行うことができる。また、室内へ供給される室外空気を吸着素子（81,82）で吸着剤と接触させることにより、室外空気を吸着熱で暖めてから室内へ供給することが可能となる。
【００６７】
上記第１１の解決手段では、取り込んだ室内空気を吸着素子（81,82）の調湿側通路（85）へ導入し、発生する吸着熱を吸収して温度上昇した室内空気を蒸発用熱交換器（104）へ送っている。ここで、蒸発用熱交換器（104）における着霜の問題が生じるのは外気温の低い冬季であり、冬季には室内が暖房されている。従って、本解決手段によれば、暖房により暖められた室内空気を吸着熱によって更に加熱してから蒸発用熱交換器（104）へ供給でき、蒸発用熱交換器（104）のデフロストを確実に行うことができる。
【００６８】
上記第１２の解決手段によれば、デフロスト運転中において、蒸発用熱交換器（104）のデフロストだけでなく、室内の換気をも行うことができる。また、本解決手段によれば、デフロスト運転中であっても、室内へ供給される空気の加湿を継続することができる。従って、蒸発用熱交換器（104）のデフロストを行いながらも、加湿運転中と同様に室内へ供給される空気を加湿することが可能となる。
【００６９】
上記第１３の解決手段によれば、デフロスト運転中において、蒸発用熱交換器（104）のデフロストだけでなく、室内の換気をも行うことができる。また、室内へ供給される室外空気を吸着素子（81,82）で吸着剤と接触させることにより、室外空気を吸着熱で暖めてから室内へ供給することが可能となる。
【００７０】
上記第１４，第１５の解決手段によれば、予め凝縮用熱交換器（102）で加熱された空気を蒸発用熱交換器（104）へ送ることで、蒸発用熱交換器（104）の霜を短時間で確実に融かすことができる。従って、本解決手段によれば、蒸発用熱交換器（104）のデフロストを確実に行うことができ、更にはデフロスト運転に要する時間を短縮できる。
【００７１】
上記第１６の解決手段によれば、デフロスト運転中であっても、室内へ供給される空気の加湿を継続することができる。従って、蒸発用熱交換器（104）のデフロストを行いながらも、加湿運転中と同様に室内へ供給される空気を加湿することが可能となる。
【００７２】
上記第１７の解決手段によれば、予め凝縮用熱交換器（102）で加熱された空気を蒸発用熱交換器（104）へ送ることで、蒸発用熱交換器（104）の霜を短時間で確実に融かすことができる。従って、本解決手段によれば、蒸発用熱交換器（104）のデフロストを確実に行うことができ、更にはデフロスト運転に要する時間を短縮できる。
【００７３】
また、本解決手段によれば、デフロスト運転中において、蒸発用熱交換器（104）のデフロストだけでなく、室内の換気をも行うことができる。更に、本解決手段によれば、デフロスト運転中であっても、室内へ供給される空気の加湿を継続することができる。従って、蒸発用熱交換器（104）のデフロストを行いながらも、加湿運転中と同様に室内へ供給される空気を加湿することが可能となる。
【００７４】
【発明の実施の形態】
以下、本発明の実施形態を図面に基づいて詳細に説明する。尚、以下の説明において、「上」 「下」 「左」 「右」 「前」 「後」 「手前」 「奥」 は、何れも参照する図面におけるものを意味している。
【００７５】
本実施形態に係る調湿装置は、減湿された空気が室内へ供給される除湿運転と、加湿された空気が室内へ供給される加湿運転とを切り換えて行うように構成されている。また、この調湿装置は、冷媒回路（100）と２つの吸着素子（81,82）とを備え、いわゆるバッチ式の動作を行うように構成されている。ここでは、本実施形態に係る調湿装置の構成について、図１，図５，図６，図７を参照しながら説明する。
【００７６】
《調湿装置の全体構成》
図１，図５に示すように、上記調湿装置は、やや扁平な直方体状のケーシング（10）を備えている。このケーシング（10）には、２つの吸着素子（81,82）と、冷媒回路（100）とが収納されている。冷媒回路（100）には、再生熱交換器（102）、第１熱交換器（103）、及び第２熱交換器（104）が設けられている。尚、冷媒回路（100）の詳細については後述する。
【００７７】
図６に示すように、上記吸着素子（81,82）は、平板状の平板部材（83）と波形状の波板部材（84）とを交互に積層して構成されている。平板部材（83）は、その長辺の長さＬ1がその短辺の長さＬ2の２.５倍となる長方形状に形成されている。つまり、この平板部材（83）では、Ｌ1/Ｌ2＝２.５となっている。尚、ここに示した数値は単なる例示である。波板部材（84）は、隣接する波板部材（84）の稜線方向が互いに９０°ずれる姿勢で積層されている。そして、吸着素子（81,82）は、全体として直方体状ないし四角柱状に形成されている。
【００７８】
上記吸着素子（81,82）には、平板部材（83）及び波板部材（84）の積層方向において、調湿側通路（85）と冷却側通路（86）とが平板部材（83）を挟んで交互に区画形成されている。この吸着素子（81,82）において、平板部材（83）の長辺側の側面に調湿側通路（85）が開口し、平板部材（83）の短辺側の側面に冷却側通路（86）が開口している。また、この吸着素子（81,82）において、同図の手前側と奥側の端面は、調湿側通路（85）と冷却側通路（86）の何れも開口しない閉塞面を構成している。
【００７９】
上記吸着素子（81,82）において、調湿側通路（85）に臨む平板部材（83）の表面や、調湿側通路（85）に設けられた波板部材（84）の表面には、水蒸気を吸着するための吸着剤が塗布されている。この種の吸着剤としては、例えばシリカゲル、ゼオライト、イオン交換樹脂等が挙げられる。
【００８０】
図１に示すように、上記ケーシング（10）において、最も手前側には室外側パネル（11）が設けられ、最も奥側には室内側パネル（12）が設けられている。室外側パネル（11）には、その左端寄りに室外側吸込口（13）が形成され、その右端寄りに室外側吹出口（16）が形成されている。一方、室内側パネル（12）には、その左端寄りに室内側吹出口（14）が形成され、その右端寄りに室内側吸込口（15）が形成されている。
【００８１】
ケーシング（10）の内部には、手前側から奥側へ向かって順に、第１仕切板（20）と、第２仕切板（30）とが設けられている。ケーシング（10）の内部空間は、これら第１，第２仕切板（20,30）によって、前後に仕切られている。
【００８２】
室外側パネル（11）と第１仕切板（20）の間の空間は、上側の室外側上部流路（41）と下側の室外側下部流路（42）とに区画されている。室外側上部流路（41）は、室外側吹出口（16）によって室外空間と連通されている。室外側下部流路（42）は、室外側吸込口（13）によって室外空間と連通されている。
【００８３】
室外側パネル（11）と第１仕切板（20）の間の空間には、その右端寄りに排気ファン（96）が設置されている。また、室外側上部流路（41）には、第２熱交換器（104）が設置されている。第２熱交換器（104）は、蒸発用熱交換器を構成している。具体的に、この第２熱交換器（104）は、いわゆるクロスフィン型のフィン・アンド・チューブ熱交換器であって、排気ファン（96）へ向けて室外側上部流路（41）を流れる空気と冷媒回路（100）の冷媒とを熱交換させるように構成されている。つまり、第２熱交換器（104）は、室外へ排出される空気と冷媒とを熱交換させるためのものである。
【００８４】
第１仕切板（20）には、第１右側開口（21）、第１左側開口（22）、第１右上開口（23）、第１右下開口（24）、第１左上開口（25）、及び第１左下開口（26）が形成されている。これらの開口（21,22,…）は、それぞれが開閉シャッタを備えて開閉自在に構成されている。
【００８５】
第１右側開口（21）及び第１左側開口（22）は、縦長の長方形状の開口である。第１右側開口（21）は、第１仕切板（20）の右端近傍に設けられている。第１左側開口（22）は、第１仕切板（20）の左端近傍に設けられている。第１右上開口（23）、第１右下開口（24）、第１左上開口（25）、及び第１左下開口（26）は、横長の長方形状の開口である。第１右上開口（23）は、第１仕切板（20）の上部における第１右側開口（21）の左隣に設けられている。第１右下開口（24）は、第１仕切板（20）の下部における第１右側開口（21）の左隣に設けられている。第１左上開口（25）は、第１仕切板（20）の上部における第１左側開口（22）の右隣に設けられている。第１左下開口（26）は、第１仕切板（20）の下部における第１左側開口（22）の右隣に設けられている。
【００８６】
第１仕切板（20）と第２仕切板（30）の間には、２つの吸着素子（81,82）が設置されている。これら吸着素子（81,82）は、所定の間隔をおいて左右に並んだ状態に配置されている。具体的には、右寄りに第１吸着素子（81）が設けられ、左寄りに第２吸着素子（82）が設けられている。
【００８７】
第１，第２吸着素子（81,82）は、それぞれにおける平板部材（83）及び波板部材（84）の積層方向がケーシング（10）の長手方向（図１における手前から奥へ向かう方向）と一致すると共に、それぞれにおける平板部材（83）等の積層方向が互いに平行となる姿勢で設置されている。更に、各吸着素子（81,82）は、左右の側面がケーシング（10）の側板と、上下面がケーシング（10）の天板や底板と、前後の端面が室外側パネル（11）や室内側パネル（12）とそれぞれ略平行になる姿勢で配置されている。
【００８８】
また、ケーシング（10）内に設置された各吸着素子（81,82）では、その左右の側面に冷却側通路（86）が開口している。つまり、第１吸着素子（81）において冷却側通路（86）の開口する１つの側面と、第２吸着素子（82）において冷却側通路（86）の開口する１つの側面とは、互いに向かい合っている。
【００８９】
第１仕切板（20）と第２仕切板（30）の間の空間は、右側流路（51）、左側流路（52）、右上流路（53）、右下流路（54）、左上流路（55）、左下流路（56）、及び中央流路（57）に区画されている。
【００９０】
右側流路（51）は、第１吸着素子（81）の右側に形成され、第１吸着素子（81）の冷却側通路（86）に連通している。左側流路（52）は、第２吸着素子（82）の左側に形成され、第２吸着素子（82）の冷却側通路（86）に連通している。
【００９１】
右上流路（53）は、第１吸着素子（81）の上側に形成され、第１吸着素子（81）の調湿側通路（85）に連通している。右下流路（54）は、第１吸着素子（81）の下側に形成され、第１吸着素子（81）の調湿側通路（85）に連通している。左上流路（55）は、第２吸着素子（82）の上側に形成され、第２吸着素子（82）の調湿側通路（85）に連通している。左下流路（56）は、第２吸着素子（82）の下側に形成され、第２吸着素子（82）の調湿側通路（85）に連通している。
【００９２】
中央流路（57）は、第１吸着素子（81）と第２吸着素子（82）の間に形成され、両吸着素子（81,82）の冷却側通路（86）に連通している。この中央流路（57）は、図１，図５に現れる流路断面の形状が四角形状となっている。
【００９３】
再生熱交換器（102）は、凝縮用熱交換器を構成している。具体的に、この再生熱交換器（102）は、いわゆるクロスフィン型のフィン・アンド・チューブ熱交換器であって、中央流路（57）を流れる空気と冷媒回路（100）の冷媒とを熱交換させるように構成されている。この再生熱交換器（102）は、中央流路（57）に設置されている。また、再生熱交換器（102）は、ほぼ水平に寝かせられた姿勢で、この中央流路（57）を上下に仕切るように配置されている。更に、再生熱交換器（102）は、その上面が第１及び第２吸着素子（81,82）の下面よりも僅かに下となるように配置されている。
【００９４】
左右に並べられた第１吸着素子（81）と第２吸着素子（82）の間には、右下シャッタ（61）、左下シャッタ（62）、右上シャッタ（63）、左上シャッタ（64）、及び中央シャッタ（65）が設けられている。これらのシャッタ（61,62,…）は、それぞれが開閉自在に構成されている。
【００９５】
右下シャッタ（61）は、再生熱交換器（102）の右側で且つ第１吸着素子（81）の下側に設置され、中央流路（57）における再生熱交換器（102）の下側部分と右下流路（54）との間を仕切っている。左下シャッタ（62）は、再生熱交換器（102）の左側で且つ第２吸着素子（82）の下側に設置され、中央流路（57）における再生熱交換器（102）の下側部分と左下流路（56）との間を仕切っている。
【００９６】
右上シャッタ（63）は、第１吸着素子（81）の左側面の上端から左方へ延び、再生熱交換器の右半分を覆うように設置されている。この右上シャッタ（63）は、中央流路（57）における再生熱交換器（102）の上側部分と右上流路（53）との間を仕切っている。左上シャッタ（64）は、第２吸着素子（82）の右側面の上端から右方へ延び、再生熱交換器の左半分を覆うように設置されている。この左上シャッタ（64）は、中央流路（57）における再生熱交換器（102）の上側部分と左上流路（55）との間を仕切っている。中央シャッタ（65）は、右上シャッタ（63）の左端及び左上シャッタ（64）の右端から上方へ延びる姿勢で設置され、右上流路（53）と左上流路（55）との間を仕切っている。
【００９７】
室外側パネル（11）と第１仕切板（20）の間の流路（41,42）と、第１仕切板（20）と第２仕切板（30）の間の流路（51,52,…）とは、第１仕切板（20）の開口（21,22,…）に設けられた開閉シャッタによって、連通状態と遮断状態に切り換えられる。具体的に、第１右側開口（21）を開口状態とすると、右側流路（51）と室外側下部流路（42）が連通する。第１左側開口（22）を開口状態とすると、左側流路（52）と室外側下部流路（42）が連通する。第１右上開口（23）を開口状態とすると、右上流路（53）と室外側上部流路（41）が連通する。第１右下開口（24）を開口状態とすると、右下流路（54）と室外側下部流路（42）が連通する。第１左上開口（25）を開口状態とすると、左上流路（55）と室外側上部流路（41）が連通する。第１左下開口（26）を開口状態とすると、左下流路（56）と室外側下部流路（42）が連通する。
【００９８】
第２仕切板（30）には、第２右側開口（31）、第２左側開口（32）、第２右上開口（33）、第２右下開口（34）、第２左上開口（35）、及び第２左下開口（36）が形成されている。これらの開口（31,32,…）は、それぞれが開閉シャッタを備えて開閉自在に構成されている。
【００９９】
第２右側開口（31）及び第２左側開口（32）は、縦長の長方形状の開口である。第２右側開口（31）は、第２仕切板（30）の右端近傍に設けられている。第２左側開口（32）は、第２仕切板（30）の左端近傍に設けられている。第２右上開口（33）、第２右下開口（34）、第２左上開口（35）、及び第２左下開口（36）は、横長の長方形状の開口である。第２右上開口（33）は、第２仕切板（30）の上部における第２右側開口（31）の左隣に設けられている。第２右下開口（34）は、第２仕切板（30）の下部における第２右側開口（31）の左隣に設けられている。第２左上開口（35）は、第２仕切板（30）の上部における第２左側開口（32）の右隣に設けられている。第２左下開口（36）は、第２仕切板（30）の下部における第２左側開口（32）の右隣に設けられている。
【０１００】
室内側パネル（12）と第２仕切板（30）の間の空間は、上側の室内側上部流路（46）と下側の室内側下部流路（47）とに区画されている。室内側上部流路（46）は、室内側吹出口（14）によって室内空間と連通されている。室内側下部流路（47）は、室内側吸込口（15）によって室内空間と連通されている。
【０１０１】
室内側パネル（12）と第２仕切板（30）の間の空間には、その左端寄りに給気ファン（95）が設置されている。また、室内側上部流路（46）には、第１熱交換器（103）が設置されている。第１熱交換器（103）は、いわゆるクロスフィン型のフィン・アンド・チューブ熱交換器であって、給気ファン（95）へ向けて室内側上部流路（46）を流れる空気と冷媒回路（100）の冷媒とを熱交換させるように構成されている。つまり、第１熱交換器（103）は、室内へ供給される空気と冷媒とを熱交換させるためのものである。
【０１０２】
第１仕切板（20）と第２仕切板（30）の間の流路と、第２仕切板（30）と室外側パネル（11）の間の流路とは、第２仕切板（30）の開口に設けられた開閉シャッタによって、連通状態と遮断状態に切り換えられる。具体的に、第２右側開口（31）を開口状態とすると、右側流路（51）と室内側下部流路（47）が連通する。第２左側開口（32）を開口状態とすると、左側流路（52）と室内側下部流路（47）が連通する。第２右上開口（33）を開口状態とすると、右上流路（53）と室内側上部流路（46）が連通する。第２右下開口（34）を開口状態とすると、右下流路（54）と室内側下部流路（47）が連通する。第２左上開口（35）を開口状態とすると、左上流路（55）と室内側上部流路（46）が連通する。第２左下開口（36）を開口状態とすると、左下流路（56）と室内側下部流路（47）が連通する。
【０１０３】
《冷媒回路の構成》
図７に示すように、上記冷媒回路（100）は、冷媒の充填された閉回路である。冷媒回路（100）には、圧縮機（101）、再生熱交換器（102）、第１熱交換器（103）、第２熱交換器（104）、レシーバ（105）、四方切換弁（120）、及び電動膨張弁（110）が設けられている。この冷媒回路（100）では、冷媒を循環させることで蒸気圧縮式の冷凍サイクルが行われる。
【０１０４】
冷媒回路（100）において、圧縮機（101）の吐出側は、再生熱交換器（102）の一端に接続されている。再生熱交換器（102）の他端は、レシーバ（105）を介して電動膨張弁（110）の一端に接続されている。電動膨張弁（110）の他端は、四方切換弁（120）の第１ポート（121）に接続されている。この四方切換弁（120）は、その第２ポート（122）が第２熱交換器（104）の一端に接続され、その第４ポート（124）が第１熱交換器（103）の一端に接続されている。また、四方切換弁（120）の第３ポート（123）は、封止されている。第１熱交換器（103）の他端と第２熱交換器（104）の他端とは、それぞれが圧縮機（101）の吸入側に接続されている。
【０１０５】
四方切換弁（120）は、第１ポート（121）と第２ポート（122）が互いに連通して第３ポート（123）と第４ポート（124）が互いに連通する状態と、第１ポート（121）と第４ポート（124）が互いに連通して第２ポート（122）と第３ポート（123）が互いに連通する状態とに切り換わる。上述のように、この四方切換弁（120）の第３ポート（123）は、閉塞されている。つまり、本実施形態の冷媒回路（100）では、四方切換弁（120）が三方弁として用いられている。従って、この冷媒回路（100）では、四方切換弁（120）に代えて三方弁を用いてもよい。
【０１０６】
−運転動作−
上記調湿装置の運転動作について説明する。この調湿装置は、除湿運転と加湿運転とを切り換えて行う。また、調湿装置は、第１動作と第２動作とを交互に繰り返すことによって除湿運転や加湿運転を行う。更に、調湿装置は、加湿運転中に第２熱交換器（104）へある程度の量の霜が付着すると、デフロスト運転を行う。
【０１０７】
《除湿運転》
図１，図２に示すように、除湿運転時において、給気ファン（95）を駆動すると、室外空気が室外側吸込口（13）を通じてケーシング（10）内に取り込まれる。この室外空気は、第１空気として室外側下部流路（42）へ流入する。一方、排気ファン（96）を駆動すると、室内空気が室内側吸込口（15）を通じてケーシング（10）内に取り込まれる。この室内空気は、第２空気として室内側下部流路（47）へ流入する。
【０１０８】
また、除湿運転時において、冷媒回路（100）では、再生熱交換器（102）が凝縮器となり、第１熱交換器（103）が蒸発器となる一方、第２熱交換器（104）が休止している。この冷媒回路（100）の動作については後述する。
【０１０９】
除湿運転の第１動作について、図１，図５を参照しながら説明する。この第１動作では、第１吸着素子（81）についての吸着動作と、第２吸着素子（82）についての再生動作とが行われる。つまり、第１動作では、第１吸着素子（81）で空気が減湿されると同時に、第２吸着素子（82）の吸着剤が再生される。
【０１１０】
図１に示すように、第１仕切板（20）では、第１右下開口（24）と第１左上開口（25）とが連通状態となり、残りの開口（21,22,23,26）が遮断状態となっている。この状態では、第１右下開口（24）によって室外側下部流路（42）と右下流路（54）とが連通され、第１左上開口（25）によって左上流路（55）と室外側上部流路（41）とが連通される。
【０１１１】
第２仕切板（30）では、第２右側開口（31）と第２右上開口（33）とが連通状態となり、残りの開口（32,34,35,36）が遮断状態となっている。この状態では、第２右側開口（31）によって室内側下部流路（47）と右側流路（51）とが連通され、第２右上開口（33）によって右上流路（53）と室内側上部流路（46）とが連通される。
【０１１２】
右下シャッタ（61）は閉鎖状態となり、左下シャッタ（62）は開口状態となっている。この状態では、中央流路（57）における再生熱交換器（102）の下側部分と左下流路（56）とが、左下シャッタ（62）を介して連通される。また、右上シャッタ（63）、左上シャッタ（64）、及び中央シャッタ（65）は、その何れもが閉鎖状態となっている。
【０１１３】
ケーシング（10）に取り込まれた第１空気は、室外側下部流路（42）から第１右下開口（24）を通って右下流路（54）へ流入する。一方、ケーシング（10）に取り込まれた第２空気は、室内側下部流路（47）から第２右側開口（31）を通って右側流路（51）へ流入する。
【０１１４】
図５(ａ)にも示すように、右下流路（54）の第１空気は、第１吸着素子（81）の調湿側通路（85）へ流入する。この調湿側通路（85）を流れる間に、第１空気に含まれる水蒸気が吸着剤に吸着される。第１吸着素子（81）で減湿された第１空気は、右上流路（53）へ流入する。
【０１１５】
一方、右側流路（51）の第２空気は、第１吸着素子（81）の冷却側通路（86）へ流入する。この冷却側通路（86）を流れる間に、第２空気は、調湿側通路（85）で水蒸気が吸着剤に吸着される際に生じた吸着熱を吸熱する。つまり、第２空気は、冷却用流体として冷却側通路（86）を流れる。吸着熱を奪った第２空気は、中央流路（57）へ流入して再生熱交換器（102）を通過する。その際、再生熱交換器（102）では、第２空気が冷媒との熱交換によって加熱される。その後、第２空気は、中央流路（57）から左下流路（56）へ流入する。
【０１１６】
第１吸着素子（81）及び再生熱交換器（102）で加熱された第２空気は、第２吸着素子（82）の調湿側通路（85）へ導入される。この調湿側通路（85）では、第２空気によって吸着剤が加熱され、吸着剤から水蒸気が脱離する。つまり、第２吸着素子（82）の再生が行われる。吸着剤から脱離した水蒸気は、第２空気と共に左上流路（55）へ流入する。
【０１１７】
図１に示すように、右上流路（53）へ流入した減湿後の第１空気は、第２右上開口（33）を通って室内側上部流路（46）へ送り込まれる。この第１空気は、室内側上部流路（46）を流れる間に第１熱交換器（103）を通過し、冷媒との熱交換によって冷却される。その後、減湿されて冷却された第１空気は、室内側吹出口（14）を通って室内へ供給される。
【０１１８】
一方、左上流路（55）へ流入した第２空気は、第１左上開口（25）を通って室外側上部流路（41）へ流入する。この第２空気は、室外側上部流路（41）を流れる間に第２熱交換器（104）を通過する。その際、第２熱交換器（104）は休止しており、第２空気は加熱も冷却もされない。そして、第１吸着素子（81）の冷却と第２吸着素子（82）の再生に利用された第２空気は、室外側吹出口（16）を通って室外へ排出される。
【０１１９】
除湿運転の第２動作について、図２，図５を参照しながら説明する。この第２動作では、第１動作時とは逆に、第２吸着素子（82）についての吸着動作と、第１吸着素子（81）についての再生動作とが行われる。つまり、第２動作では、第２吸着素子（82）で空気が減湿されると同時に、第１吸着素子（81）の吸着剤が再生される。
【０１２０】
図２に示すように、第１仕切板（20）では、第１右上開口（23）と第１左下開口（26）とが連通状態となり、残りの開口（21,22,24,25）が遮断状態となっている。この状態では、第１右上開口（23）によって右上流路（53）と室外側上部流路（41）とが連通され、第１左下開口（26）によって室外側下部流路（42）と左下流路（56）とが連通される。
【０１２１】
第２仕切板（30）では、第２左側開口（32）と第２左上開口（35）とが連通状態となり、残りの開口（31,33,34,36）が遮断状態となっている。この状態では、第２左側開口（32）によって室内側下部流路（47）と左側流路（52）とが連通され、第２左上開口（35）によって左上流路（55）と室内側上部流路（46）とが連通される。
【０１２２】
左下シャッタ（62）は閉鎖状態となり、右下シャッタ（61）は開口状態となっている。この状態では、中央流路（57）における再生熱交換器（102）の下側部分と右下流路（54）とが、右下シャッタ（61）を介して連通される。また、右上シャッタ（63）、左上シャッタ（64）、及び中央シャッタ（65）は、その何れもが閉鎖状態となっている。
【０１２３】
ケーシング（10）に取り込まれた第１空気は、室外側下部流路（42）から第１左下開口（26）を通って左下流路（56）へ流入する。一方、ケーシング（10）に取り込まれた第２空気は、室内側下部流路（47）から第２左側開口（32）を通って左側流路（52）へ流入する。
【０１２４】
図５(ｂ)にも示すように、左下流路（56）の第１空気は、第２吸着素子（82）の調湿側通路（85）へ流入する。この調湿側通路（85）を流れる間に、第１空気に含まれる水蒸気が吸着剤に吸着される。第２吸着素子（82）で減湿された第１空気は、左上流路（55）へ流入する。
【０１２５】
一方、左側流路（52）の第２空気は、第２吸着素子（82）の冷却側通路（86）へ流入する。この冷却側通路（86）を流れる間に、第２空気は、調湿側通路（85）で水蒸気が吸着剤に吸着される際に生じた吸着熱を吸熱する。つまり、第２空気は、冷却用流体として冷却側通路（86）を流れる。吸着熱を奪った第２空気は、中央流路（57）へ流入して再生熱交換器（102）を通過する。その際、再生熱交換器（102）では、第２空気が冷媒との熱交換によって加熱される。その後、第２空気は、中央流路（57）から右下流路（54）へ流入する。
【０１２６】
第２吸着素子（82）及び再生熱交換器（102）で加熱された第２空気は、第１吸着素子（81）の調湿側通路（85）へ導入される。この調湿側通路（85）では、第２空気によって吸着剤が加熱され、吸着剤から水蒸気が脱離する。つまり、第１吸着素子（81）の再生が行われる。吸着剤から脱離した水蒸気は、第２空気と共に右上流路（53）へ流入する。
【０１２７】
図２に示すように、左上流路（55）へ流入した減湿後の第１空気は、第２左上開口（35）を通って室内側上部流路（46）へ送り込まれる。この第１空気は、室内側上部流路（46）を流れる間に第１熱交換器（103）を通過し、冷媒との熱交換によって冷却される。その後、減湿されて冷却された第１空気は、室内側吹出口（14）を通って室内へ供給される。
【０１２８】
一方、右上流路（53）へ流入した第２空気は、第１右上開口（23）を通って室外側上部流路（41）へ流入する。この第２空気は、室外側上部流路（41）を流れる間に第２熱交換器（104）を通過する。その際、第２熱交換器（104）は休止しており、第２空気は加熱も冷却もされない。そして、第２吸着素子（82）の冷却と第１吸着素子（81）の再生に利用された第２空気は、室外側吹出口（16）を通って室外へ排出される。
【０１２９】
《加湿運転》
図３，図４に示すように、加湿運転時において、給気ファン（95）を駆動すると、室外空気が室外側吸込口（13）を通じてケーシング（10）内に取り込まれる。この室外空気は、第２空気として室外側下部流路（42）へ流入する。一方、排気ファン（96）を駆動すると、室内空気が室内側吸込口（15）を通じてケーシング（10）内に取り込まれる。この室内空気は、第１空気として室内側下部流路（47）へ流入する。
【０１３０】
また、加湿運転時において、冷媒回路（100）では、再生熱交換器（102）が凝縮器となり、第２熱交換器（104）が蒸発器となる一方、第１熱交換器（103）が休止している。この冷媒回路（100）の動作については後述する。
【０１３１】
加湿運転の第１動作について、図３，図５を参照しながら説明する。この第１動作では、第１吸着素子（81）についての吸着動作と、第２吸着素子（82）についての再生動作とが行われる。つまり、第１動作では、第２吸着素子（82）で空気が加湿され、第１吸着素子（81）の吸着剤が水蒸気を吸着する。
【０１３２】
図３に示すように、第１仕切板（20）では、第１右側開口（21）と第１右上開口（23）とが連通状態となり、残りの開口（22,24,25,26）が遮断状態となっている。この状態では、第１右側開口（21）によって室外側下部流路（42）と右側流路（51）とが連通され、第１右上開口（23）によって右上流路（53）と室外側上部流路（41）とが連通される。
【０１３３】
第２仕切板（30）では、第２右下開口（34）と第２左上開口（35）とが連通状態となり、残りの開口（31,32,33,36）が遮断状態となっている。この状態では、第２右下開口（34）によって室内側下部流路（47）と右下流路（54）とが連通され、第２左上開口（35）によって左上流路（55）と室内側上部流路（46）とが連通される。
【０１３４】
右下シャッタ（61）は閉鎖状態となり、左下シャッタ（62）は開口状態となっている。この状態では、中央流路（57）における再生熱交換器（102）の下側部分と左下流路（56）とが、左下シャッタ（62）を介して連通される。また、右上シャッタ（63）、左上シャッタ（64）、及び中央シャッタ（65）は、その何れもが閉鎖状態となっている。
【０１３５】
ケーシング（10）に取り込まれた第１空気は、室内側下部流路（47）から第２右下開口（34）を通って右下流路（54）へ流入する。一方、ケーシング（10）に取り込まれた第２空気は、室外側下部流路（42）から第１右側開口（21）を通って右側流路（51）へ流入する。
【０１３６】
図５(ａ)にも示すように、右下流路（54）の第１空気は、第１吸着素子（81）の調湿側通路（85）へ流入する。この調湿側通路（85）を流れる間に、第１空気に含まれる水蒸気が吸着剤に吸着される。第１吸着素子（81）で水分を奪われた第１空気は、右上流路（53）へ流入する。
【０１３７】
一方、右側流路（51）の第２空気は、第１吸着素子（81）の冷却側通路（86）へ流入する。この冷却側通路（86）を流れる間に、第２空気は、調湿側通路（85）で水蒸気が吸着剤に吸着される際に生じた吸着熱を吸熱する。つまり、第２空気は、冷却用流体として冷却側通路（86）を流れる。吸着熱を奪った第２空気は、中央流路（57）へ流入して再生熱交換器（102）を通過する。その際、再生熱交換器（102）では、第２空気が冷媒との熱交換によって加熱される。その後、第２空気は、中央流路（57）から左下流路（56）へ流入する。
【０１３８】
第１吸着素子（81）及び再生熱交換器（102）で加熱された第２空気は、第２吸着素子（82）の調湿側通路（85）へ導入される。この調湿側通路（85）では、第２空気によって吸着剤が加熱され、吸着剤から水蒸気が脱離する。つまり、第２吸着素子（82）の再生が行われる。そして、吸着剤から脱離した水蒸気が第２空気に付与され、第２空気が加湿される。第２吸着素子（82）で加湿された第２空気は、その後に左上流路（55）へ流入する。
【０１３９】
図３に示すように、左上流路（55）へ流入した第２空気は、第２左上開口（35）を通って室内側上部流路（46）へ流入する。この第２空気は、室内側上部流路（46）を流れる間に第１熱交換器（103）を通過する。その際、第１熱交換器（103）は休止しており、第２空気は加熱も冷却もされない。そして、加湿された第２空気は、室内側吹出口（14）を通って室内へ供給される。
【０１４０】
一方、右上流路（53）へ流入した第１空気は、第１右上開口（23）を通って室外側上部流路（41）へ送り込まれる。この第１空気は、室外側上部流路（41）を流れる間に第２熱交換器（104）を通過し、冷媒との熱交換によって冷却される。その後、水分と熱を奪われた第１空気は、室外側吹出口（16）を通って室外へ排出される。
【０１４１】
加湿運転の第２動作について、図４，図５を参照しながら説明する。この第２動作では、第１動作時とは逆に、第２吸着素子（82）についての吸着動作と、第１吸着素子（81）についての再生動作とが行われる。つまり、この第２動作では、第１吸着素子（81）で空気が加湿され、第２吸着素子（82）の吸着剤が水蒸気を吸着する。
【０１４２】
図４に示すように、第１仕切板（20）では、第１左側開口（22）と第１左上開口（25）とが連通状態となり、残りの開口（21,23,24,26）が遮断状態となっている。この状態では、第１左側開口（22）によって室外側下部流路（42）と左側流路（52）とが連通され、第１左上開口（25）によって左上流路（55）と室外側上部流路（41）とが連通される。
【０１４３】
第２仕切板（30）では、第２右上開口（33）と第２左下開口（36）とが連通状態となり、残りの開口（31,32,34,35）が遮断状態となっている。この状態では、第２右上開口（33）によって右上流路（53）と室内側上部流路（46）とが連通され、第２左下開口（36）によって室内側下部流路（47）と左下流路（56）とが連通される。
【０１４４】
左下シャッタ（62）は閉鎖状態となり、右下シャッタ（61）は開口状態となっている。この状態では、中央流路（57）における再生熱交換器（102）の下側部分と右下流路（54）とが、右下シャッタ（61）を介して連通される。また、右上シャッタ（63）、左上シャッタ（64）、及び中央シャッタ（65）は、その何れもが閉鎖状態となっている。
【０１４５】
ケーシング（10）に取り込まれた第１空気は、室内側下部流路（47）から第２左下開口（36）を通って左下流路（56）へ流入する。一方、ケーシング（10）に取り込まれた第２空気は、室外側下部流路（42）から第１左側開口（22）を通って左側流路（52）へ流入する。
【０１４６】
図５(ｂ)にも示すように、左下流路（56）の第１空気は、第２吸着素子（82）の調湿側通路（85）へ流入する。この調湿側通路（85）を流れる間に、第１空気に含まれる水蒸気が吸着剤に吸着される。第２吸着素子（82）で水分を奪われた第１空気は、左上流路（55）へ流入する。
【０１４７】
一方、左側流路（52）の第２空気は、第２吸着素子（82）の冷却側通路（86）へ流入する。この冷却側通路（86）を流れる間に、第２空気は、調湿側通路（85）で水蒸気が吸着剤に吸着される際に生じた吸着熱を吸熱する。つまり、第２空気は、冷却用流体として冷却側通路（86）を流れる。吸着熱を奪った第２空気は、中央流路（57）へ流入して再生熱交換器（102）を通過する。その際、再生熱交換器（102）では、第２空気が冷媒との熱交換によって加熱される。その後、第２空気は、中央流路（57）から右下流路（54）へ流入する。
【０１４８】
第２吸着素子（82）及び再生熱交換器（102）で加熱された第２空気は、第１吸着素子（81）の調湿側通路（85）へ導入される。この調湿側通路（85）では、第２空気によって吸着剤が加熱され、吸着剤から水蒸気が脱離する。つまり、第１吸着素子（81）の再生が行われる。そして、吸着剤から脱離した水蒸気が第２空気に付与され、第２空気が加湿される。第１吸着素子（81）で加湿された第２空気は、その後に右上流路（53）へ流入する。
【０１４９】
図４に示すように、右上流路（53）へ流入した第２空気は、第２右上開口（33）を通って室内側上部流路（46）へ流入する。この第２空気は、室内側上部流路（46）を流れる間に第１熱交換器（103）を通過する。その際、第１熱交換器（103）は休止しており、第２空気は加熱も冷却もされない。そして、加湿された第２空気は、室内側吹出口（14）を通って室内へ供給される。
【０１５０】
一方、左上流路（55）へ流入した第１空気は、第１左上開口（25）を通って室外側上部流路（41）へ送り込まれる。この第１空気は、室外側上部流路（41）を流れる間に第２熱交換器（104）を通過し、冷媒との熱交換によって冷却される。その後、水分と熱を奪われた第１空気は、室外側吹出口（16）を通って室外へ排出される。
【０１５１】
《冷媒回路の動作》
冷媒回路（100）の動作について、図７〜図９を参照しながら説明する。
【０１５２】
先ず、除湿運転時の動作について説明する。除湿運転時において、四方切換弁（120）は、第１ポート（121）と第４ポート（124）が互いに連通して第２ポート（122）と第３ポート（123）が互いに連通する状態となる。また、電動膨張弁（110）は、その開度が運転条件に応じて適宜調節される。
【０１５３】
この状態で圧縮機（101）を運転すると、冷媒回路（100）で冷媒が循環して冷凍サイクルが行われる。その際、冷媒回路（100）では、再生熱交換器（102）が凝縮器となり、第１熱交換器（103）が蒸発器となり、第２熱交換器（104）が休止状態となる（図８参照）。
【０１５４】
具体的に、圧縮機（101）から吐出された冷媒は、再生熱交換器（102）へ送られる。再生熱交換器（102）へ流入した冷媒は、第２空気との熱交換を行い、第２空気に放熱して凝縮する。再生熱交換器（102）で凝縮した冷媒は、レシーバ（105）を通って電動膨張弁（110）へ送られる。この冷媒は、電動膨張弁（110）を通過する際に減圧される。電動膨張弁（110）で減圧された冷媒は、四方切換弁（120）を通って第１熱交換器（103）へ送られる。第１熱交換器（103）へ流入した冷媒は、第１空気との熱交換を行い、第１空気から吸熱して蒸発する。第１熱交換器（103）で蒸発した冷媒は、圧縮機（101）へ吸入されて圧縮され、その後に圧縮機（101）から吐出される。
【０１５５】
次に、加湿運転時の動作について説明する。加湿運転時において、四方切換弁（120）は、第１ポート（121）と第２ポート（122）が互いに連通して第３ポート（123）と第４ポート（124）が互いに連通する状態となる。また、電動膨張弁（110）は、その開度が運転条件に応じて適宜調節される。
【０１５６】
この状態で圧縮機（101）を運転すると、冷媒回路（100）で冷媒が循環して冷凍サイクルが行われる。その際、冷媒回路（100）では、再生熱交換器（102）が凝縮器となり、第２熱交換器（104）が蒸発器となり、第１熱交換器（103）が休止状態となる（図９参照）。
【０１５７】
具体的に、圧縮機（101）から吐出された冷媒は、再生熱交換器（102）へ送られる。再生熱交換器（102）へ流入した冷媒は、第２空気との熱交換を行い、第２空気に放熱して凝縮する。再生熱交換器（102）で凝縮した冷媒は、レシーバ（105）を通って電動膨張弁（110）へ送られる。この冷媒は、電動膨張弁（110）を通過する際に減圧される。電動膨張弁（110）で減圧された冷媒は、四方切換弁（120）を通って第２熱交換器（104）へ送られる。第２熱交換器（104）へ流入した冷媒は、第１空気との熱交換を行い、第１空気から吸熱して蒸発する。第２熱交換器（104）で蒸発した冷媒は、圧縮機（101）へ吸入されて圧縮され、その後に圧縮機（101）から吐出される。
【０１５８】
《デフロスト運転》
上述のように、本実施形態の調湿装置は、加湿運転中に第２熱交換器（104）へある程度の量の霜が付着すると、デフロスト運転を行う。このデフロスト運転は、所定の時間毎に定期的に行ってもよいし、第２熱交換器（104）に付着した霜の量を何らかの方法で検出したり推測し、霜の付着量がある程度以上に達した場合に行ってもよい。
【０１５９】
ここで、加湿運転中には、第１又は第２吸着素子（81,82）で減湿された第１空気が、蒸発器として機能する第２熱交換器（104）へ送られる（図９参照）。この第２熱交換器（104）へ送られる第１空気は、吸着素子（81,82）で第２空気と熱交換する。一方、加湿運転は室内を暖房する冬季に行われるのが通常であり、室外空気からなる第２空気は低温となっている。吸着素子（81,82）へ送られる第２空気の温度（即ち外気温）が低くなると、吸着素子（81,82）から第２熱交換器（104）へ送られる第１空気の温度も低くなる。
【０１６０】
第２熱交換器（104）で冷媒と熱交換する第１空気の温度が下がると、それに伴って、第２熱交換器（104）での冷媒蒸発温度も低く設定せざるを得なくなる。そして、第２熱交換器（104）での冷媒蒸発温度が０℃を下回るような状態となると、第２熱交換器（104）の表面に霜が付着する。第２熱交換器（104）に霜が付着すると、この霜によって冷媒と第１空気の熱交換が阻害され、更には第２熱交換器（104）における通風抵抗が増大する。そこで、調湿装置は、加湿運転を一旦中断し、第２熱交換器（104）の霜を融かすためにデフロスト運転を行う。
【０１６１】
上記調湿装置のデフロスト運転中の動作について、図１０，図１１を参照しながら説明する。
【０１６２】
図１０に示すように、第１仕切板（20）では、第１左側開口（22）と第１左上開口（25）とが連通状態となり、残りの開口（21,23,24,26）が遮断状態となっている。この状態では、第１左側開口（22）によって室外側下部流路（42）と左側流路（52）とが連通され、第１左上開口（25）によって左上流路（55）と室外側上部流路（41）とが連通される。
【０１６３】
第２仕切板（30）では、第２右上開口（33）と第２左下開口（36）とが連通状態となり、残りの開口（31,32,34,35）が遮断状態となっている。この状態では、第２右上開口（33）によって右上流路（53）と室内側上部流路（46）とが連通され、第２左下開口（36）によって室内側下部流路（47）と左下流路（56）とが連通される。
【０１６４】
左下シャッタ（62）と右下シャッタ（61）は、共に開口状態となっている。この状態において、中央流路（57）における再生熱交換器（102）の下側部分は、右下シャッタ（61）を介して右下流路（54）と連通され、左下シャッタ（62）を介して左下流路（56）と連通される。また、右上シャッタ（63）、左上シャッタ（64）、及び中央シャッタ（65）は、その何れもが閉鎖状態となっている。
【０１６５】
この状態において、給気ファン（95）及び排気ファン（96）を駆動すると、室外空気が室外側吸込口（13）を通じてケーシング（10）内に取り込まれ、室内空気が室内側吸込口（15）を通じてケーシング（10）内に取り込まれる。このデフロスト運転時には、給気ファン（95）や排気ファン（96）の回転数が適宜設定され、ケーシング（10）へ流入する室外空気の流量が、ケーシング（10）へ流入する室内空気の流量よりも多くなっている。
【０１６６】
図１１にも示すように、ケーシング（10）に取り込まれた室外空気は、第２吸着素子（82）の冷却側通路（86）へ流入する。第２吸着素子（82）から出た室外空気は、再生熱交換器（102）を通過する際に加熱され、その後に二手に分流される。分流された室外空気は、その一方が右下シャッタ（61）を通って第１吸着素子（81）へ送られ、残りが左下シャッタ（62）を通って第２吸着素子（82）へ送られる。
【０１６７】
第１吸着素子（81）へ送られる室外空気は、第１吸着素子（81）の調湿側通路（85）へ流入する。この調湿側通路（85）では、導入された室外空気によって吸着剤が加熱され、吸着剤から水蒸気が脱離する。そして、吸着剤から脱離した水蒸気が室外空気に付与され、室外空気が加湿される。第１吸着素子（81）で加湿された室外空気は、休止中の第１熱交換器（103）を通過して室内へ供給される。つまり、デフロスト運転中であっても、室内へ供給される空気の加湿が行われる。
【０１６８】
一方、第２吸着素子（82）へ送られる室外空気は、左下流路（56）において、ケーシング（10）に取り込まれた室内空気と合流する。左下流路（56）の空気は、第２吸着素子（82）の調湿側通路（85）へ流入する。この調湿側通路（85）を流れる間に、空気中の水蒸気が吸着剤に吸着される。第２吸着素子（82）で水分を奪われた空気は、第２熱交換器（104）へ送られ、第２熱交換器（104）を通過後に室外へ排出される。
【０１６９】
このように、デフロスト運転中には、再生熱交換器（102）で加熱された室外空気が、室内空気と共に第２熱交換器（104）へ供給される。一方、加湿運転中には、上述のように、第１又は第２吸着素子（81,82）で第２空気（室外空気）と熱交換した第１空気（室内空気）だけが第２熱交換器（104）へ供給される（図９参照）。従って、デフロスト運転中には、加湿運転時と異なる状態の空気が第２熱交換器（104）へ供給される。そして、デフロスト運転中には、第２熱交換器（104）へ供給される空気の温度が加湿運転中よりも上昇し、第２熱交換器（104）の霜が融解する。
【０１７０】
尚、本実施形態のデフロスト運転では、第１吸着素子（81）と第２吸着素子（82）の状態が入れ替わっていてもよい。この場合、第１吸着素子（81）の冷却側通路（86）へは、取り込まれた室外空気が導入される。第１吸着素子（81）の調湿側通路（85）へは、取り込まれた室内空気と、再生熱交換器（102）で加熱された室外空気の一部とが導入される。第２吸着素子（82）の調湿側通路（85）へは、再生熱交換器（102）で加熱された室外空気の残りが導入される。
【０１７１】
このように、本実施形態の調湿装置で行われるデフロスト運転としては、２通りの動作が考えられる。そして、この調湿装置は、デフロスト運転中において、何れか一方の動作だけを継続して行ってもよいし、必要に応じて２通りの動作を相互に切り換えるようにしてもよい。
【０１７２】
また、このデフロスト運転では、取り込んだ室内空気を室外へ排出する動作を行っているが、この室内空気の排気を停止することも可能である。つまり、デフロスト運転中には、取り込んだ室外空気の一部を室内へ供給して残りを室外へ排出する動作だけを行ってもよい。ただし、この場合、室内の換気は行われない。
【０１７３】
−実施形態の効果−
本実施形態によれば、冷媒回路（100）を備える調湿装置において、第２熱交換器（104）で着霜が生じた場合であっても、デフロスト運転を行うことによって第２熱交換器（104）に付着した霜を融かすことができる。このため、第２熱交換器（104）で着霜が生じるような運転条件であっても、デフロスト運転を行って第２熱交換器（104）の霜を融かせば、その後は加湿運転を再開することが可能となる。従って、本実施形態によれば、そのような運転条件であっても、調湿装置の運転を確実に継続させることができる。
【０１７４】
ここで、例えば、いわゆる逆サイクルデフロストのように、冷媒回路（100）での冷媒の循環経路を変更することによっても、第２熱交換器（104）の霜を融かすことは可能である。しかしながら、このような方策を採るには、冷媒の流れを切り換えるための弁などを冷媒回路（100）に設ける必要が生じ、冷媒回路（100）の複雑化を招く。
【０１７５】
これに対し、本実施形態に係る調湿装置では、加湿運転中と異なる状態の空気を該第２熱交換器（104）へ送ることによってデフロスト運転を行っている。このため、冷媒回路（100）の構成を何ら変更することなく、デフロスト運転を行うことが可能となる。従って、本実施形態によれば、冷媒回路（100）の構成を簡素に維持しながら、デフロスト運転を行うことができる。
【０１７６】
また、本実施形態によれば、予め再生熱交換器（102）で加熱された空気を第２熱交換器（104）へ送ることで、第２熱交換器（104）の霜を短時間で確実に融かすことができる。従って、本実施形態によれば、第２熱交換器（104）のデフロストを確実に行うことができ、更にはデフロスト運転に要する時間を短縮できる。
【０１７７】
また、本実施形態によれば、デフロスト運転中において、第２熱交換器（104）のデフロストだけでなく、室内の換気をも行うことができる。更に、本実施形態によれば、デフロスト運転中であっても、室内へ供給される空気の加湿を継続することができる。従って、第２熱交換器（104）のデフロストを行いながらも、加湿運転中と同様に室内へ供給される空気を加湿することが可能となる。
【０１７８】
ここで、本実施形態では、吸着素子（81,82）に冷却側通路（86）を形成し、吸着動作中に発生する吸着熱を冷却用流体としての第２空気によって奪っている。このため、吸着動作時の吸着素子（81,82）では、調湿側通路（85）で発生した吸着熱による第１空気の温度上昇を抑制することが可能となる。
【０１７９】
従って、本実施形態によれば、吸着素子（81,82）の調湿側通路（85）を流れる第１空気の相対湿度が過度に低下するのを回避でき、吸着素子（81,82）に吸着される水蒸気の量を増大させることができる。そして、吸着素子（81,82）における水分の吸着量を増大させることで、調湿装置を大型化させることなく、調湿装置の能力向上を図ることができる。
【０１８０】
また、本実施形態では、除湿運転中や加湿運転中において、第２空気を先ず冷却用流体として吸着素子（81,82）の冷却側通路（86）へ導入し、この冷却側通路（86）から出た第２空気を再生熱交換器（102）で加熱している。つまり、吸着素子（81,82）の再生に用いられる第２空気は、再生熱交換器（102）だけでなく吸着素子（81,82）の冷却側通路（86）においても加熱される。従って、本実施形態によれば、再生熱交換器（102）で第２空気に与えねばならない熱量を削減でき、圧縮機（101）の消費電力を削減して調湿装置の運転に要するエネルギを削減できる。
【０１８１】
また、本実施形態では、再生熱交換器（102）を、ほぼ水平に寝かせた状態で、更にはその上面が第１及び第２吸着素子（81,82）の下面よりも僅かに下となるように配置している。このように再生熱交換器（102）を配置すると、調湿装置を設置する際の制約が小さくり、調湿装置の使い勝手を向上させることができる。
【０１８２】
つまり、調湿装置の保守作業においては、第１及び第２吸着素子（81,82）をケーシング（10）から取り出す場合もある。一方、本実施形態の調湿装置では、再生熱交換器（102）を吸着素子（81,82）よりも下方に配置している。このため、ケーシング（10）における左右の何れか一方の側面を開けば、吸着素子（81,82）を２つとも抜き取ることが可能となる。従って、この調湿装置については、例えばケーシング（10）の左右いずれかの側面が壁に密着するような状態でも据え付けることが可能となる。
【０１８３】
−実施形態の変形例１−
本実施形態の調湿装置では、デフロスト運転として次のような運転を行ってもよい。ここでは、本変形例のデフロスト運転中の動作について、図１２，図１３を参照しながら説明する。
【０１８４】
図１２に示すように、第１仕切板（20）では、第１左側開口（22）と第１左上開口（25）とが連通状態となり、残りの開口（21,23,24,26）が遮断状態となっている。この状態では、第１左側開口（22）によって室外側下部流路（42）と左側流路（52）とが連通され、第１左上開口（25）によって左上流路（55）と室外側上部流路（41）とが連通される。
【０１８５】
第２仕切板（30）では、第２右上開口（33）と第２左下開口（36）とが連通状態となり、残りの開口（31,32,34,35）が遮断状態となっている。この状態では、第２右上開口（33）によって右上流路（53）と室内側上部流路（46）とが連通され、第２左下開口（36）によって室内側下部流路（47）と左下流路（56）とが連通される。
【０１８６】
右下シャッタ（61）は開口状態となり、左下シャッタ（62）は閉鎖状態となっている。この状態では、中央流路（57）における再生熱交換器（102）の下側部分が、右下シャッタ（61）を介して右下流路（54）と連通される。また、中央シャッタ（65）は開口状態となり、右上シャッタ（63）と左上シャッタ（64）は閉鎖状態となっている。この状態では、右上流路（53）と左上流路（55）が、中央シャッタ（65）を介して互いに連通される。
【０１８７】
この状態において、給気ファン（95）及び排気ファン（96）を駆動すると、室外空気が室外側吸込口（13）を通じてケーシング（10）内に取り込まれ、室内空気が室内側吸込口（15）を通じてケーシング（10）内に取り込まれる。このデフロスト運転時には、給気ファン（95）や排気ファン（96）の回転数が適宜設定され、ケーシング（10）へ流入する室外空気の流量が、ケーシング（10）へ流入する室内空気の流量よりも多くなっている。
【０１８８】
図１３にも示すように、ケーシング（10）に取り込まれた室外空気は、第２吸着素子（82）の冷却側通路（86）へ流入する。第２吸着素子（82）から出た室外空気は、再生熱交換器（102）を通過する際に加熱され、その後に第１吸着素子（81）の調湿側通路（85）へ導入される。この調湿側通路（85）では、導入された室外空気によって吸着剤が加熱され、吸着剤から水蒸気が脱離する。そして、吸着剤から脱離した水蒸気が室外空気に付与され、室外空気が加湿される。
【０１８９】
第１吸着素子（81）で加湿された室外空気は、右上流路（53）へ流入する。右上流路（53）の室外空気は、その一部が中央シャッタ（65）を通って左上流路（55）へ流入し、残りが休止中の第１熱交換器（103）を通過して室内へ供給される。つまり、デフロスト運転中であっても、室内へ供給される空気の加湿が行われる。
【０１９０】
一方、ケーシング（10）に取り込まれた室内空気は、第２吸着素子（82）の調湿側通路（85）へ流入する。この調湿側通路（85）を流れる間に、空気中の水蒸気が吸着剤に吸着される。第２吸着素子（82）で水分を奪われた室内空気は、左上流路（55）へ流入し、右上流路（53）から送り込まれた室外空気と合流する。その後、右上流路（53）の空気は、第２熱交換器（104）へ送られ、第２熱交換器（104）を通過後に室外へ排出される。
【０１９１】
このように、デフロスト運転中には、再生熱交換器（102）で加熱された室外空気が、室内空気と共に第２熱交換器（104）へ供給される。一方、加湿運転中には、上述のように、第１又は第２吸着素子（81,82）で第２空気（室外空気）と熱交換した第１空気（室内空気）だけが第２熱交換器（104）へ供給される（図９参照）。従って、デフロスト運転中には、加湿運転時と異なる状態の空気が第２熱交換器（104）へ供給される。そして、デフロスト運転中には、第２熱交換器（104）へ供給される空気の温度が加湿運転中よりも上昇し、第２熱交換器（104）の霜が融解する。
【０１９２】
尚、本変形例のデフロスト運転では、第１吸着素子（81）と第２吸着素子（82）の状態が入れ替わっていてもよい。この場合、第１吸着素子（81）の冷却側通路（86）へは、取り込まれた室外空気が導入される。第１吸着素子（81）の調湿側通路（85）へは、取り込まれた室内空気が導入される。第２吸着素子（82）の調湿側通路（85）へは、再生熱交換器（102）で加熱された室外空気が導入される。
【０１９３】
このように、本変形例のデフロスト運転としては、２通りの動作が考えられる。そして、この調湿装置は、デフロスト運転中において、何れか一方の動作だけを継続して行ってもよいし、必要に応じて２通りの動作を相互に切り換えるようにしてもよい。
【０１９４】
本変形例によれば、予め再生熱交換器（102）で加熱された空気を第２熱交換器（104）へ送ることで、第２熱交換器（104）の霜を短時間で確実に融かすことができる。従って、本変形例によれば、第２熱交換器（104）のデフロストを確実に行うことができ、更にはデフロスト運転に要する時間を短縮できる。
【０１９５】
また、本変形例によれば、デフロスト運転中において、第２熱交換器（104）のデフロストだけでなく、室内の換気をも行うことができる。更に、本変形例によれば、デフロスト運転中であっても、室内へ供給される空気の加湿を継続することができる。従って、第２熱交換器（104）のデフロストを行いながらも、加湿運転中と同様に室内へ供給される空気を加湿することが可能となる。
【０１９６】
尚、本変形例のデフロスト運転では、取り込んだ室内空気を室外へ排出する動作を行っているが、この室内空気の排気を停止することも可能である。つまり、デフロスト運転中には、取り込んだ室外空気の一部を室内へ供給して残りを室外へ排出する動作だけを行ってもよい。ただし、この場合、室内の換気は行われない。
【０１９７】
−実施形態の変形例２−
本実施形態の調湿装置では、デフロスト運転として次のような運転を行ってもよい。ここでは、本変形例のデフロスト運転中の動作について、図１４，図１５を参照しながら説明する。
【０１９８】
図１４に示すように、第１仕切板（20）では、第１右側開口（21）と第１左上開口（25）とが連通状態となり、残りの開口（22,23,24,26）が遮断状態となっている。この状態では、第１右側開口（21）によって室外側下部流路（42）と右側流路（51）とが連通され、第１左上開口（25）によって左上流路（55）と室外側上部流路（41）とが連通される。
【０１９９】
第２仕切板（30）では、第２右上開口（33）と第２左下開口（36）とが連通状態となり、残りの開口（31,32,34,35）が遮断状態となっている。この状態では、第２右上開口（33）によって右上流路（53）と室内側上部流路（46）とが連通され、第２左下開口（36）によって室内側下部流路（47）と左下流路（56）とが連通される。
【０２００】
右下シャッタ（61）は開口状態となり、左下シャッタ（62）は閉鎖状態となっている。この状態では、中央流路（57）における再生熱交換器（102）の下側部分が、右下シャッタ（61）を介して右下流路（54）と連通される。また、右上シャッタ（63）、左上シャッタ（64）、及び中央シャッタ（65）は、その何れもが閉鎖状態となっている。
【０２０１】
この状態において、給気ファン（95）を駆動すると、室外空気が室外側吸込口（13）を通じてケーシング（10）内に取り込まれる。一方、排気ファン（96）を駆動すると、室内空気が室内側吸込口（15）を通じてケーシング（10）内に取り込まれる。このデフロスト運転時には、給気ファン（95）や排気ファン（96）の回転数が適宜設定され、ケーシング（10）へ流入する室外空気の流量と、ケーシング（10）へ流入する室内空気の流量とが等しくなっている。
【０２０２】
図１５にも示すように、ケーシング（10）に取り込まれた室外空気は、第１吸着素子（81）の冷却側通路（86）へ流入する。第１吸着素子（81）から出た室外空気は、再生熱交換器（102）を通過する際に加熱され、その後に第１吸着素子（81）の調湿側通路（85）へ導入される。この調湿側通路（85）から出た室外空気は、休止中の第１熱交換器（103）を通過して室内へ供給される。
【０２０３】
一方、ケーシング（10）に取り込まれた室内空気は、第２吸着素子（82）の調湿側通路（85）へ流入する。この調湿側通路（85）を流れる間に、空気中の水蒸気が吸着剤に吸着される。この第２吸着素子（82）において、その冷却側通路（86）では空気が流通していない。暖房中の暖かい室内空気は、冷却されることなく、むしろ吸着熱によって温度上昇して第２吸着素子（82）から流出する。第２吸着素子（82）から出た室内空気は、第２熱交換器（104）へ送られ、第２熱交換器（104）を通過後に室外へ排出される。
【０２０４】
このように、デフロスト運転中には、暖房中の暖かい室内空気が、冷却されることなく第２熱交換器（104）へ供給される。一方、加湿運転中には、上述のように、第１又は第２吸着素子（81,82）で第２空気（室外空気）と熱交換した第１空気（室内空気）が第２熱交換器（104）へ供給される（図９参照）。従って、デフロスト運転中には、加湿運転時と異なる状態の空気が第２熱交換器（104）へ供給される。そして、デフロスト運転中には、第２熱交換器（104）へ供給される空気の温度が加湿運転中よりも上昇し、第２熱交換器（104）の霜が融解する。
【０２０５】
尚、本変形例のデフロスト運転では、第１吸着素子（81）と第２吸着素子（82）の状態が入れ替わっていてもよい。この場合、第１吸着素子（81）へ室内空気が導入され、第２吸着素子（82）へ室外空気が導入される。
【０２０６】
このように、本変形例のデフロスト運転としては、２通りの動作が考えられる。そして、この調湿装置は、デフロスト運転中において、何れか一方の動作だけを継続して行ってもよいし、必要に応じて２通りの動作を相互に切り換えるようにしてもよい。
【０２０７】
本変形例によれば、デフロスト運転中において、第２熱交換器（104）のデフロストだけでなく、室内の換気をも行うことができる。また、換気のために排気される室内空気の温熱を利用して、第２熱交換器（104）の霜を確実に融かすことができる。
【０２０８】
−実施形態の変形例３−
本実施形態の調湿装置では、デフロスト運転として次のような運転を行ってもよい。ここでは、本変形例のデフロスト運転中の動作について、図１６，図１７を参照しながら説明する。
【０２０９】
図１６に示すように、第１仕切板（20）では、第１右下開口（24）と第１左上開口（25）とが連通状態となり、残りの開口（21,22,23,26）が遮断状態となっている。この状態では、第１右下開口（24）によって室外側下部流路（42）と右下流路（54）とが連通され、第１左上開口（25）によって左上流路（55）と室外側上部流路（41）とが連通される。
【０２１０】
第２仕切板（30）では、第２右上開口（33）と第２左下開口（36）とが連通状態となり、残りの開口（31,32,34,35）が遮断状態となっている。この状態では、第２右上開口（33）によって右上流路（53）と室内側上部流路（46）とが連通され、第２左下開口（36）によって室内側下部流路（47）と左下流路（56）とが連通される。
【０２１１】
右下シャッタ（61）は閉鎖状態となり、左下シャッタ（62）は開口状態となっている。この状態では、中央流路（57）における再生熱交換器（102）の下側部分が、左下シャッタ（62）を介して左下流路（56）と連通される。また、左上シャッタ（64）は開口状態となり、右上シャッタ（63）及び中央シャッタ（65）は閉鎖状態となっている。この状態では、中央流路（57）における再生熱交換器（102）の上側部分が、左上シャッタ（64）を介して左上流路（55）と連通される。
【０２１２】
この状態において、給気ファン（95）を駆動すると、室外空気が室外側吸込口（13）を通じてケーシング（10）内に取り込まれる。一方、排気ファン（96）を駆動すると、室内空気が室内側吸込口（15）を通じてケーシング（10）内に取り込まれる。このデフロスト運転時には、給気ファン（95）や排気ファン（96）の回転数が適宜設定され、ケーシング（10）へ流入する室外空気の流量と、ケーシング（10）へ流入する室内空気の流量とが等しくなっている。
【０２１３】
図１７にも示すように、ケーシング（10）に取り込まれた室外空気は、第１吸着素子（81）の調湿側通路（85）へ流入する。この調湿側通路（85）を流れる間に、室外空気中の水蒸気が吸着剤に吸着される。その際、調湿側通路（85）では吸着熱が発生し、この吸着熱によって室外空気の温度が上昇する。この調湿側通路（85）から出た室外空気は、休止中の第１熱交換器（103）を通過して室内へ供給される。
【０２１４】
一方、ケーシング（10）に取り込まれた室内空気は、左下シャッタ（62）を通って中央流路（57）へ流入する。この室内空気は、中央流路（57）を流れる間に再生熱交換器（102）を通過して加熱される。再生熱交換器（102）で加熱された室内空気は、左上シャッタ（64）を通って左上流路（55）へ流入する。その後、左上流路（55）の室内空気は、第２熱交換器（104）へ送られ、第２熱交換器（104）を通過後に室外へ排出される。
【０２１５】
このように、デフロスト運転中には、暖房中の暖かい室内空気が、再生熱交換器（102）で加熱された上で第２熱交換器（104）へ供給される。一方、加湿運転中には、上述のように、第１又は第２吸着素子（81,82）で第２空気（室外空気）と熱交換した第１空気（室内空気）が第２熱交換器（104）へ供給される（図９参照）。従って、デフロスト運転中には、加湿運転時と異なる状態の空気が第２熱交換器（104）へ供給される。そして、デフロスト運転中には、第２熱交換器（104）へ供給される空気の温度が加湿運転中よりも上昇し、第２熱交換器（104）の霜が融解する。
【０２１６】
尚、本変形例のデフロスト運転では、第１吸着素子（81）と第２吸着素子（82）の状態が入れ替わっていてもよい。この場合、第１吸着素子（81）へ室内空気が導入され、第２吸着素子（82）へ室外空気が導入される。
【０２１７】
このように、本変形例のデフロスト運転としては、２通りの動作が考えられる。そして、この調湿装置は、デフロスト運転中において、何れか一方の動作だけを継続して行ってもよいし、必要に応じて２通りの動作を相互に切り換えるようにしてもよい。
【０２１８】
本変形例によれば、予め再生熱交換器（102）で加熱された空気を第２熱交換器（104）へ送ることで、第２熱交換器（104）の霜を短時間で確実に融かすことができる。従って、本変形例によれば、第２熱交換器（104）のデフロストを確実に行うことができ、更にはデフロスト運転に要する時間を短縮できる。
【０２１９】
更に、本変形例によれば、デフロスト運転中において、第２熱交換器（104）のデフロストだけでなく、室内の換気をも行うことができる。また、換気のために排気される室内空気の温熱を利用して、第２熱交換器（104）の霜を確実に融かすことができる。
【０２２０】
尚、このデフロスト運転中には、吸着素子（81,82）で減湿された室外空気が供給されるが、吸着素子（81,82）が吸着した水分は、加熱運転の再開後に室内へ供給される。
【０２２１】
−実施形態の変形例４−
本実施形態の調湿装置では、デフロスト運転として次のような運転を行ってもよい。ここでは、本変形例のデフロスト運転中の動作について、図１８，図１９を参照しながら説明する。
【０２２２】
図１８に示すように、第１仕切板（20）では、第１右下開口（24）と第１左上開口（25）とが連通状態となり、残りの開口（21,22,23,26）が遮断状態となっている。この状態では、第１右下開口（24）によって室外側下部流路（42）と右下流路（54）とが連通され、第１左上開口（25）によって左上流路（55）と室外側上部流路（41）とが連通される。
【０２２３】
第２仕切板（30）では、第２右上開口（33）と第２左下開口（36）とが連通状態となり、残りの開口（31,32,34,35）が遮断状態となっている。この状態では、第２右上開口（33）によって右上流路（53）と室内側上部流路（46）とが連通され、第２左下開口（36）によって室内側下部流路（47）と左下流路（56）とが連通される。
【０２２４】
右下シャッタ（61）と左下シャッタ（62）は、何れも閉鎖状態となっている。また、右上シャッタ（63）、左上シャッタ（64）、及び中央シャッタ（65）も、全てが閉鎖状態となっている。
【０２２５】
この状態において、給気ファン（95）を駆動すると、室外空気が室外側吸込口（13）を通じてケーシング（10）内に取り込まれる。一方、排気ファン（96）を駆動すると、室内空気が室内側吸込口（15）を通じてケーシング（10）内に取り込まれる。このデフロスト運転時には、給気ファン（95）や排気ファン（96）の回転数が適宜設定され、ケーシング（10）へ流入する室外空気の流量と、ケーシング（10）へ流入する室内空気の流量とが等しくなっている。
【０２２６】
図１９にも示すように、ケーシング（10）に取り込まれた室外空気は、第１吸着素子（81）の調湿側通路（85）へ流入する。この調湿側通路（85）を流れる間に、室外空気中の水蒸気が吸着剤に吸着される。その際、調湿側通路（85）では吸着熱が発生し、この吸着熱によって室外空気の温度が上昇する。この調湿側通路（85）から出た室外空気は、休止中の第１熱交換器（103）を通過して室内へ供給される。
【０２２７】
一方、ケーシング（10）に取り込まれた室内空気は、第２吸着素子（82）の調湿側通路（85）へ流入する。この調湿側通路（85）を流れる間に、空気中の水蒸気が吸着剤に吸着される。この第２吸着素子（82）において、その冷却側通路（86）では空気が流通していない。暖房中の暖かい室内空気は、冷却されることなく、むしろ吸着熱によって温度上昇して第２吸着素子（82）から流出する。第２吸着素子（82）から出た室内空気は、第２熱交換器（104）へ送られ、第２熱交換器（104）を通過後に室外へ排出される。
【０２２８】
このように、デフロスト運転中には、暖房中の暖かい室内空気が、冷却されることなく第２熱交換器（104）へ供給される。一方、加湿運転中には、上述のように、第１又は第２吸着素子（81,82）で第２空気（室外空気）と熱交換した第１空気（室内空気）が第２熱交換器（104）へ供給される（図９参照）。従って、デフロスト運転中には、加湿運転時と異なる状態の空気が第２熱交換器（104）へ供給される。そして、デフロスト運転中には、第２熱交換器（104）へ供給される空気の温度が加湿運転中よりも上昇し、第２熱交換器（104）の霜が融解する。
【０２２９】
尚、本変形例のデフロスト運転では、第１吸着素子（81）と第２吸着素子（82）の状態が入れ替わっていてもよい。この場合、第１吸着素子（81）へ室内空気が導入され、第２吸着素子（82）へ室外空気が導入される。
【０２３０】
このように、本変形例のデフロスト運転としては、２通りの動作が考えられる。そして、この調湿装置は、デフロスト運転中において、何れか一方の動作だけを継続して行ってもよいし、必要に応じて２通りの動作を相互に切り換えるようにしてもよい。
【０２３１】
本変形例によれば、デフロスト運転中において、第２熱交換器（104）のデフロストだけでなく、室内の換気をも行うことができる。また、換気のために排気される室内空気の温熱を利用して、第２熱交換器（104）の霜を確実に融かすことができる。
【０２３２】
尚、このデフロスト運転中には、吸着素子（81,82）で減湿された室外空気が供給されるが、吸着素子（81,82）が吸着した水分は、加熱運転の再開後に室内へ供給される。従って、このデフロスト運転によって、室内の湿度が低下することはない。
【０２３３】
−実施形態の変形例５−
本実施形態の調湿装置では、デフロスト運転として次のような運転を行ってもよい。ここでは、本変形例のデフロスト運転中の動作について、図２０，図２１を参照しながら説明する。
【０２３４】
図２０に示すように、第１仕切板（20）では、第１右下開口（24）と第１左上開口（25）とが連通状態となり、残りの開口（21,22,23,26）が遮断状態となっている。この状態では、第１右下開口（24）によって室外側下部流路（42）と右下流路（54）とが連通され、第１左上開口（25）によって左上流路（55）と室外側上部流路（41）とが連通される。
【０２３５】
第２仕切板（30）では、第２左側開口（32）と第２右上開口（33）とが連通状態となり、残りの開口（31,34,35,36）が遮断状態となっている。この状態では、第２左側開口（32）によって室内側下部流路（47）と左側流路（52）とが連通され、第２右上開口（33）によって右上流路（53）と室内側上部流路（46）とが連通される。
【０２３６】
右下シャッタ（61）と左下シャッタ（62）は、何れも閉鎖状態となっている。また、左上シャッタ（64）は開口状態となり、右上シャッタ（63）及び中央シャッタ（65）は閉鎖状態となっている。この状態では、中央流路（57）における再生熱交換器（102）の上側部分が、左上シャッタ（64）を介して左上流路（55）と連通される。
【０２３７】
この状態において、給気ファン（95）を駆動すると、室外空気が室外側吸込口（13）を通じてケーシング（10）内に取り込まれる。一方、排気ファン（96）を駆動すると、室内空気が室内側吸込口（15）を通じてケーシング（10）内に取り込まれる。このデフロスト運転時には、給気ファン（95）や排気ファン（96）の回転数が適宜設定され、ケーシング（10）へ流入する室外空気の流量と、ケーシング（10）へ流入する室内空気の流量とが等しくなっている。
【０２３８】
図２１にも示すように、ケーシング（10）に取り込まれた室外空気は、第１吸着素子（81）の調湿側通路（85）へ流入する。この調湿側通路（85）を流れる間に、室外空気中の水蒸気が吸着剤に吸着される。その際、調湿側通路（85）では吸着熱が発生し、この吸着熱によって室外空気の温度が上昇する。この調湿側通路（85）から出た室外空気は、休止中の第１熱交換器（103）を通過して室内へ供給される。
【０２３９】
一方、ケーシング（10）に取り込まれた室内空気は、第２吸着素子（82）の冷却側通路（86）へ流入する。この第２吸着素子（82）において、その調湿側通路（85）では空気が流通していない。暖房中の暖かい室内空気は、冷却されることなく、取り込まれたときの状態で第２吸着素子（82）から流出する。第２吸着素子（82）から出た室内空気は、第２熱交換器（104）へ送られ、第２熱交換器（104）を通過後に室外へ排出される。
【０２４０】
このように、デフロスト運転中には、暖房中の暖かい室内空気が、冷却されることなく、取り込まれたときの状態のままで第２熱交換器（104）へ供給される。一方、加湿運転中には、上述のように、第１又は第２吸着素子（81,82）で第２空気（室外空気）と熱交換した第１空気（室内空気）が第２熱交換器（104）へ供給される（図９参照）。従って、デフロスト運転中には、加湿運転時と異なる状態の空気が第２熱交換器（104）へ供給される。そして、デフロスト運転中には、第２熱交換器（104）へ供給される空気の温度が加湿運転中よりも上昇し、第２熱交換器（104）の霜が融解する。
【０２４１】
尚、本変形例のデフロスト運転では、第１吸着素子（81）と第２吸着素子（82）の状態が入れ替わっていてもよい。この場合、第１吸着素子（81）へ室内空気が導入され、第２吸着素子（82）へ室外空気が導入される。
【０２４２】
このように、本変形例のデフロスト運転としては、２通りの動作が考えられる。そして、この調湿装置は、デフロスト運転中において、何れか一方の動作だけを継続して行ってもよいし、必要に応じて２通りの動作を相互に切り換えるようにしてもよい。
【０２４３】
本変形例によれば、デフロスト運転中において、第２熱交換器（104）のデフロストだけでなく、室内の換気をも行うことができる。また、換気のために排気される室内空気の温熱を利用して、第２熱交換器（104）の霜を確実に融かすことができる。
【０２４４】
尚、このデフロスト運転中には、吸着素子（81,82）で減湿された室外空気が供給されるが、吸着素子（81,82）が吸着した水分は、加熱運転の再開後に室内へ供給される。
【０２４５】
−実施形態の変形例６−
本実施形態の調湿装置では、デフロスト運転として次のような運転を行ってもよい。ここでは、本変形例のデフロスト運転中の動作について、図２２，図２３を参照しながら説明する。
【０２４６】
図２２に示すように、第１仕切板（20）では、第１右上開口（23）と第１左下開口（26）とが連通状態となり、残りの開口（21,22,24,25）が遮断状態となっている。この状態では、第１右上開口（23）によって右上流路（53）と室外側上部流路（41）とが連通され、第１左下開口（26）によって室外側下部流路（42）と左下流路（56）とが連通される。
【０２４７】
第２仕切板（30）では、第２左側開口（32）と第２左上開口（35）とが連通状態となり、残りの開口（31,33,34,36）が遮断状態となっている。この状態では、第２左側開口（32）によって室内側下部流路（47）と左側流路（52）とが連通され、第２左上開口（35）によって左上流路（55）と室内側上部流路（46）とが連通される。
【０２４８】
右下シャッタ（61）は開口状態となり、左下シャッタ（62）は閉鎖状態となっている。この状態では、中央流路（57）における再生熱交換器（102）の下側部分が、右下シャッタ（61）を介して右下流路（54）と連通される。また、右上シャッタ（63）、左上シャッタ（64）、及び中央シャッタ（65）は、その何れもが閉鎖状態となっている。
【０２４９】
この状態において、給気ファン（95）を駆動すると、室外空気が室外側吸込口（13）を通じてケーシング（10）内に取り込まれる。一方、排気ファン（96）を駆動すると、室内空気が室内側吸込口（15）を通じてケーシング（10）内に取り込まれる。このデフロスト運転時には、給気ファン（95）や排気ファン（96）の回転数が適宜設定され、ケーシング（10）へ流入する室外空気の流量と、ケーシング（10）へ流入する室内空気の流量とが等しくなっている。
【０２５０】
図２３にも示すように、ケーシング（10）に取り込まれた室外空気は、第２吸着素子（82）の調湿側通路（85）へ流入する。この調湿側通路（85）を流れる間に、室外空気中の水蒸気が吸着剤に吸着される。その際、調湿側通路（85）では吸着熱が発生し、この吸着熱によって室外空気の温度が上昇する。
【０２５１】
また、第２吸着素子（82）の冷却側通路（86）へは、暖房中の暖かい室内空気が流入する。第２吸着素子（82）では、調湿側通路（85）の室外空気と冷却側通路（86）の室内空気とが熱交換し、室内空気の温熱が室外空気に回収される。そして、第２吸着素子（82）の調湿側通路（85）から出た室外空気は、休止中の第１熱交換器（103）を通過して室内へ供給される。
【０２５２】
第２吸着素子（82）の冷却側通路（86）から出た室内空気は、再生熱交換器（102）を通過する際に加熱される。加熱された室内空気は、右下シャッタ（61）を通って第１吸着素子（81）の調湿側通路（85）へ送られる。第１吸着素子（81）の調湿側通路（85）から出た室内空気は、第２熱交換器（104）へ送られ、第２熱交換器（104）を通過後に室外へ排出される。
【０２５３】
このように、デフロスト運転中には、再生熱交換器（102）で加熱された室内空気が第２熱交換器（104）へ供給される。一方、加湿運転中には、上述のように、第１又は第２吸着素子（81,82）で第２空気（室外空気）と熱交換した第１空気（室内空気）が第２熱交換器（104）へ供給される（図９参照）。従って、デフロスト運転中には、加湿運転時と異なる状態の空気が第２熱交換器（104）へ供給される。そして、デフロスト運転中には、第２熱交換器（104）へ供給される空気の温度が加湿運転中よりも上昇し、第２熱交換器（104）の霜が融解する。
【０２５４】
尚、本変形例のデフロスト運転では、第１吸着素子（81）と第２吸着素子（82）の状態が入れ替わっていてもよい。この場合、第１吸着素子（81）の冷却側通路（86）へは、取り込まれた室内空気が導入される。第１吸着素子（81）の調湿側通路（85）へは、取り込まれた室外空気が導入される。第２吸着素子（82）の調湿側通路（85）へは、再生熱交換器（102）で加熱された室内空気が導入される。
【０２５５】
このように、本変形例のデフロスト運転としては、２通りの動作が考えられる。そして、この調湿装置は、デフロスト運転中において、何れか一方の動作だけを継続して行ってもよいし、必要に応じて２通りの動作を相互に切り換えるようにしてもよい。
【０２５６】
本変形例によれば、予め再生熱交換器（102）で加熱された空気を第２熱交換器（104）へ送ることで、第２熱交換器（104）の霜を短時間で確実に融かすことができる。従って、本変形例によれば、第２熱交換器（104）のデフロストを確実に行うことができ、更にはデフロスト運転に要する時間を短縮できる。
【０２５７】
本変形例によれば、デフロスト運転中において、第２熱交換器（104）のデフロストだけでなく、室内の換気をも行うことができる。また、換気のために排気される室内空気の温熱を給気される室外空気へ回収でき、換気に伴う暖房負荷の増大を抑制できる。
【０２５８】
尚、このデフロスト運転中には、吸着素子（81,82）で減湿された室外空気が供給されるが、吸着素子（81,82）が吸着した水分は、加熱運転の再開後に室内へ供給される。
【０２５９】
−実施形態の変形例７−
本実施形態の調湿装置では、デフロスト運転として次のような運転を行ってもよい。ここでは、本変形例のデフロスト運転中の動作について、図２４，図２５を参照しながら説明する。
【０２６０】
図２４に示すように、第１仕切板（20）では、第１右上開口（23）と第１左下開口（26）とが連通状態となり、残りの開口（21,22,24,25）が遮断状態となっている。この状態では、第１右上開口（23）によって右上流路（53）と室外側上部流路（41）とが連通され、第１左下開口（26）によって室外側下部流路（42）と左下流路（56）とが連通される。
【０２６１】
第２仕切板（30）では、第２左側開口（32）と第２左上開口（35）とが連通状態となり、残りの開口（31,33,34,36）が遮断状態となっている。この状態では、第２左側開口（32）によって室内側下部流路（47）と左側流路（52）とが連通され、第２左上開口（35）によって左上流路（55）と室内側上部流路（46）とが連通される。
【０２６２】
右下シャッタ（61）は開口状態となり、左下シャッタ（62）は閉鎖状態となっている。この状態では、中央流路（57）における再生熱交換器（102）の下側部分が、右下シャッタ（61）を介して右下流路（54）と連通される。また、中央シャッタ（65）は開口状態となり、右上シャッタ（63）及び左上シャッタ（64）は閉鎖状態となっている。この状態では、右上流路（53）と左上流路（55）が、中央シャッタ（65）を介して互いに連通される。
【０２６３】
この状態において、給気ファン（95）及び排気ファン（96）を駆動すると、室外空気が室外側吸込口（13）を通じてケーシング（10）内に取り込まれ、室内空気が室内側吸込口（15）を通じてケーシング（10）内に取り込まれる。このデフロスト運転時には、給気ファン（95）や排気ファン（96）の回転数が適宜設定され、ケーシング（10）へ流入する室外空気の流量が、ケーシング（10）へ流入する室内空気の流量よりも多くなっている。
【０２６４】
図２５にも示すように、ケーシング（10）に取り込まれた室外空気は、第２吸着素子（82）の調湿側通路（85）へ流入する。この調湿側通路（85）を流れる間に、室外空気中の水蒸気が吸着剤に吸着される。その際、調湿側通路（85）では吸着熱が発生し、この吸着熱によって室外空気の温度が上昇する。また、第２吸着素子（82）の冷却側通路（86）へは、暖房中の暖かい室内空気が流入する。第２吸着素子（82）では、調湿側通路（85）の室外空気と冷却側通路（86）の室内空気とが熱交換し、室内空気の温熱が室外空気に回収される。
【０２６５】
第２吸着素子（82）の調湿側通路（85）から出た室外空気は、左上流路（55）へ流入する。左上流路（55）の室外空気は、その一部が中央シャッタ（65）を通って右上流路（53）へ流入し、残りが休止中の第１熱交換器（103）を通過して室内へ供給される。
【０２６６】
第２吸着素子（82）の冷却側通路（86）から出た室内空気は、再生熱交換器（102）を通過する際に加熱される。加熱された室内空気は、右下シャッタ（61）を通って第１吸着素子（81）の調湿側通路（85）へ送られる。第１吸着素子（81）の調湿側通路（85）から出た室内空気は、第２熱交換器（104）へ送られ、第２熱交換器（104）を通過後に室外へ排出される。
【０２６７】
このように、デフロスト運転中には、再生熱交換器（102）で加熱された室内空気が第２熱交換器（104）へ供給される。一方、加湿運転中には、上述のように、第１又は第２吸着素子（81,82）で第２空気（室外空気）と熱交換した第１空気（室内空気）が第２熱交換器（104）へ供給される（図９参照）。従って、デフロスト運転中には、加湿運転時と異なる状態の空気が第２熱交換器（104）へ供給される。そして、デフロスト運転中には、第２熱交換器（104）へ供給される空気の温度が加湿運転中よりも上昇し、第２熱交換器（104）の霜が融解する。
【０２６８】
尚、本変形例のデフロスト運転では、第１吸着素子（81）と第２吸着素子（82）の状態が入れ替わっていてもよい。この場合、第１吸着素子（81）の冷却側通路（86）へは、取り込まれた室内空気が導入される。第１吸着素子（81）の調湿側通路（85）へは、取り込まれた室外空気が導入される。第２吸着素子（82）の調湿側通路（85）へは、再生熱交換器（102）で加熱された室内空気が導入される。
【０２６９】
このように、本変形例のデフロスト運転としては、２通りの動作が考えられる。そして、この調湿装置は、デフロスト運転中において、何れか一方の動作だけを継続して行ってもよいし、必要に応じて２通りの動作を相互に切り換えるようにしてもよい。
【０２７０】
本変形例によれば、予め再生熱交換器（102）で加熱された空気を第２熱交換器（104）へ送ることで、第２熱交換器（104）の霜を短時間で確実に融かすことができる。従って、本変形例によれば、第２熱交換器（104）のデフロストを確実に行うことができ、更にはデフロスト運転に要する時間を短縮できる。
【０２７１】
本変形例によれば、デフロスト運転中において、第２熱交換器（104）のデフロストだけでなく、室内の換気をも行うことができる。また、換気のために排気される室内空気の温熱を給気される室外空気へ回収でき、換気に伴う暖房負荷の増大を抑制できる。
【０２７２】
尚、このデフロスト運転中には、吸着素子（81,82）で減湿された室外空気が供給されるが、吸着素子（81,82）が吸着した水分は、加熱運転の再開後に室内へ供給される。従って、このデフロスト運転によって、室内の湿度が低下することはない。
【０２７３】
−実施形態の変形例８−
本実施形態の調湿装置では、デフロスト運転として次のような運転を行ってもよい。ここでは、本変形例のデフロスト運転中の動作について、図２６，図２７を参照しながら説明する。
【０２７４】
図２６に示すように、第１仕切板（20）では、第１左側開口（22）と第１右上開口（23）とが連通状態となり、残りの開口（21,24,25,26）が遮断状態となっている。この状態では、第１左側開口（22）によって室外側下部流路（42）と左側流路（52）とが連通され、第１右上開口（23）によって右上流路（53）と室外側上部流路（41）とが連通される。
【０２７５】
第２仕切板（30）では、第２左上開口（35）と第２左下開口（36）とが連通状態となり、残りの開口（31,32,33,34）が遮断状態となっている。この状態では、第２左上開口（35）によって左上流路（55）と室内側上部流路（46）とが連通され、第２左下開口（36）によって室内側下部流路（47）と左下流路（56）とが連通される。
【０２７６】
右下シャッタ（61）は開口状態となり、左下シャッタ（62）は閉鎖状態となっている。この状態では、中央流路（57）における再生熱交換器（102）の下側部分が、右下シャッタ（61）を介して右下流路（54）と連通される。また、右上シャッタ（63）、左上シャッタ（64）、及び中央シャッタ（65）は、その何れもが閉鎖状態となっている。
【０２７７】
この状態において、給気ファン（95）を駆動すると、室内空気が室内側吸込口（15）を通じてケーシング（10）内に取り込まれる。一方、排気ファン（96）を駆動すると、室外空気が室外側吸込口（13）を通じてケーシング（10）内に取り込まれる。このデフロスト運転時には、給気ファン（95）や排気ファン（96）の回転数が適宜設定され、ケーシング（10）へ流入する室外空気の流量と、ケーシング（10）へ流入する室内空気の流量とが等しくなっている。
【０２７８】
図２７にも示すように、ケーシング（10）に取り込まれた室内空気は、第２吸着素子（82）の調湿側通路（85）へ流入する。この調湿側通路（85）から出た室内空気は、休止中の第１熱交換器（103）を通過して室内へ送り返される。
【０２７９】
一方、ケーシング（10）に取り込まれた室外空気は、第２吸着素子（82）の冷却側通路（86）へ導入される。この冷却側通路（86）から出た室外空気は、再生熱交換器（102）を通過する際に加熱される。加熱された室外空気は、右下シャッタ（61）を通って第１吸着素子（81）の調湿側通路（85）へ送られる。第１吸着素子（81）の調湿側通路（85）から出た室外空気は、第２熱交換器（104）へ送られ、第２熱交換器（104）を通過後に室外へ送り返される。
【０２８０】
このように、デフロスト運転中には、再生熱交換器（102）で加熱された室外空気が第２熱交換器（104）へ供給される。一方、加湿運転中には、上述のように、第１又は第２吸着素子（81,82）で第２空気（室外空気）と熱交換した第１空気（室内空気）が第２熱交換器（104）へ供給される（図９参照）。従って、デフロスト運転中には、加湿運転時と異なる状態の空気が第２熱交換器（104）へ供給される。そして、デフロスト運転中には、第２熱交換器（104）へ供給される空気の温度が加湿運転中よりも上昇し、第２熱交換器（104）の霜が融解する。
【０２８１】
尚、本変形例のデフロスト運転では、第１吸着素子（81）と第２吸着素子（82）の状態が入れ替わっていてもよい。この場合、第１吸着素子（81）の冷却側通路（86）へは、取り込まれた室外空気が導入される。第１吸着素子（81）の調湿側通路（85）へは、取り込まれた室内空気が導入される。第２吸着素子（82）の調湿側通路（85）へは、再生熱交換器（102）で加熱された室外空気が導入される。
【０２８２】
このように、本変形例のデフロスト運転としては、２通りの動作が考えられる。そして、この調湿装置は、デフロスト運転中において、何れか一方の動作だけを継続して行ってもよいし、必要に応じて２通りの動作を相互に切り換えるようにしてもよい。
【０２８３】
本変形例によれば、予め再生熱交換器（102）で加熱された空気を第２熱交換器（104）へ送ることで、第２熱交換器（104）の霜を短時間で確実に融かすことができる。従って、本変形例によれば、第２熱交換器（104）のデフロストを確実に行うことができ、更にはデフロスト運転に要する時間を短縮できる。
【０２８４】
尚、本変形例のデフロスト運転では、室内空気を一旦取り込んで再び室内へ送り返す動作を行っているが、この動作を停止することも可能である。つまり、デフロスト運転中には、取り込んだ室外空気を再生熱交換器（102）で加熱して第２熱交換器（104）へ送る動作だけを行ってもよい。
【０２８５】
−実施形態の変形例９−
本実施形態の調湿装置では、デフロスト運転として次のような運転を行ってもよい。ここでは、本変形例のデフロスト運転中の動作について、加湿運転の第２動作の途中でデフロスト運転が開始された場合を例に説明する。
【０２８６】
このデフロスト運転中において、第１空気及び第２空気の流通経路は、加湿運転の第２動作中と同様に保たれる（図９(ｂ)参照）。つまり、第１空気として取り込まれた室内空気は、第２吸着素子（82）の調湿側通路（85）を通って第２熱交換器（104）へ送られ、第２熱交換器（104）を通過後に室外へ排出される。一方、第２空気として取り込まれた室外空気は、第２吸着素子（82）の冷却側通路（86）、再生熱交換器（102）、第１吸着素子（81）の調湿側通路（85）を順に通過し、その後に室内へ供給される。
【０２８７】
本変形例のデフロスト運転中には、ケーシング（10）に取り込まれる室内空気、即ち第１空気の流量が、加湿運転中よりも少なく設定される。つまり、第２熱交換器（104）へは、加湿運転時と異なる状態の空気が供給される。第２熱交換器（104）で冷媒と熱交換する第１空気の流量が減ると、第２熱交換器（104）における冷媒蒸発温度が上昇する。このため、第２熱交換器（104）の温度が上昇し、その表面に付着した霜が融解する。
【０２８８】
尚、第１動作の途中で第２熱交換器（104）を除霜する場合のデフロスト運転では、第１空気及び第２空気が第１動作中と同様の状態に保持され（図９(ａ)参照）、この状態で第１空気の流量が削減される。ただし、本変形例のデフロスト運転中は、第１空気及び第２空気の流通経路を加湿運転の第１動作又は第２動作中と同様に保持してもよいし、第１動作中の状態と第２動作中の状態とを相互に切り換えてもよい。
【０２８９】
本変形例によれば、デフロスト運転中において、第２熱交換器（104）のデフロストだけでなく、室内の換気をも行うことができる。更に、本変形例によれば、デフロスト運転中であっても、室内へ供給される空気の加湿を継続することができる。従って、第２熱交換器（104）のデフロストを行いながらも、加湿運転中と同様に室内へ供給される空気を加湿することが可能となる。
【０２９０】
【発明のその他の実施の形態】
本発明の実施形態に係る調湿装置は、次のようなデフロスト運転を行うように構成されていてもよい。
【０２９１】
尚、以下の変形例に係る調湿装置は、上記実施形態のものと同様に、２つの吸着素子（81,82）を備えてバッチ式の動作を行うように構成されている。また、この調湿装置の除湿運転や加湿運転中の第１空気及び第２空気の流通経路は、上記実施形態のものと同様である。更に、この調湿装置の各吸着素子（81,82）や冷媒回路（100）は、上記実施形態のものと同様に構成されている。
【０２９２】
−第１の変形例−
第１の変形例のデフロスト運転について、図２８を参照しながら説明する。
【０２９３】
調湿装置に取り込まれた室内空気は、吸着素子（81,82）や再生熱交換器（102）をバイパスし、第２熱交換器（104）へ直接送られる。つまり、暖房中の暖かい室内空気は、取り込まれたときの状態のままで第２熱交換器（104）へ供給される。この室内空気は、第２熱交換器（104）を通過後に室外へ排出される。
【０２９４】
一方、調湿装置に取り込まれた室外空気は、第２吸着素子（82）の冷却側通路（86）を通過し、再生熱交換器（102）において加熱される。加熱された室外空気は、第１吸着素子（81）の調湿側通路（85）へ導入される。この調湿側通路（85）では、導入された室外空気によって吸着剤が加熱され、吸着剤から水蒸気が脱離する。そして、吸着剤から脱離した水蒸気が室外空気に付与され、室外空気が加湿される。加湿された室外空気は、休止中の第１熱交換器（103）を通過して室内へ供給される。
【０２９５】
このように、デフロスト運転中には、暖房中の暖かい室内空気が、取り込まれたときの状態のまま第２熱交換器（104）へ供給される。一方、加湿運転中には、第１又は第２吸着素子（81,82）で第２空気（室外空気）と熱交換した第１空気（室内空気）が第２熱交換器（104）へ供給される（図９参照）。従って、デフロスト運転中には、加湿運転時と異なる状態の空気が第２熱交換器（104）へ供給される。そして、デフロスト運転中には、第２熱交換器（104）へ供給される空気の温度が加湿運転中よりも上昇し、第２熱交換器（104）の霜が融解する。
【０２９６】
尚、本変形例のデフロスト運転では、第１吸着素子（81）と第２吸着素子（82）の状態が入れ替わっていてもよい。この場合、取り込まれた室外空気が第１吸着素子（81）の冷却側通路（86）へ導入され、再生熱交換器（102）で加熱された室外空気が第２吸着素子（82）の調湿側通路（85）へ導入される。
【０２９７】
このように、本変形例のデフロスト運転としては、２通りの動作が考えられる。そして、この調湿装置は、デフロスト運転中において、何れか一方の動作だけを継続して行ってもよいし、必要に応じて２通りの動作を相互に切り換えるようにしてもよい。
【０２９８】
本変形例によれば、予め再生熱交換器（102）で加熱された空気を第２熱交換器（104）へ送ることで、第２熱交換器（104）の霜を短時間で確実に融かすことができる。従って、本変形例によれば、第２熱交換器（104）のデフロストを確実に行うことができ、更にはデフロスト運転に要する時間を短縮できる。
【０２９９】
また、本変形例によれば、デフロスト運転中において、第２熱交換器（104）のデフロストだけでなく、室内の換気をも行うことができる。更に、本変形例によれば、デフロスト運転中であっても、室内へ供給される空気の加湿を継続することができる。従って、第２熱交換器（104）のデフロストを行いながらも、加湿運転中と同様に室内へ供給される空気を加湿することが可能となる。
【０３００】
−第２の変形例−
第２の変形例のデフロスト運転について、図２９を参照しながら説明する。
【０３０１】
調湿装置に取り込まれた室内空気は、第２吸着素子（82）の調湿側通路（85）へ流入する。この調湿側通路（85）を流れる間に、空気中の水蒸気が吸着剤に吸着される。この第２吸着素子（82）において、その冷却側通路（86）では空気が流通していない。暖房中の暖かい室内空気は、冷却されることなく、むしろ吸着熱によって温度上昇して第２吸着素子（82）から流出する。第２吸着素子（82）から出た室内空気は、第２熱交換器（104）へ送られ、第２熱交換器（104）を通過後に室外へ排出される。
【０３０２】
一方、調湿装置に取り込まれた室外空気は、再生熱交換器（102）へ送り込まれ、冷媒との熱交換によって加熱される。加熱された室外空気は、第１吸着素子（81）の調湿側通路（85）へ導入される。この調湿側通路（85）では、導入された室外空気によって吸着剤が加熱され、吸着剤から水蒸気が脱離する。そして、吸着剤から脱離した水蒸気が室外空気に付与され、室外空気が加湿される。加湿された室外空気は、休止中の第１熱交換器（103）を通過して室内へ供給される。
【０３０３】
このように、デフロスト運転中には、暖房中の暖かい室内空気が吸着熱を吸収して温度上昇してから第２熱交換器（104）へ供給される。一方、加湿運転中には、第１又は第２吸着素子（81,82）で第２空気（室外空気）と熱交換した第１空気（室内空気）が第２熱交換器（104）へ供給される（図９参照）。従って、デフロスト運転中には、加湿運転時と異なる状態の空気が第２熱交換器（104）へ供給される。そして、デフロスト運転中には、第２熱交換器（104）へ供給される空気の温度が加湿運転中よりも上昇し、第２熱交換器（104）の霜が融解する。
【０３０４】
尚、本変形例のデフロスト運転では、第１吸着素子（81）と第２吸着素子（82）の状態が入れ替わっていてもよい。この場合、取り込まれた室内空気が第１吸着素子（81）の調湿側通路（85）へ導入され、再生熱交換器（102）で加熱された室外空気が第２吸着素子（82）の調湿側通路（85）へ導入される。
【０３０５】
このように、本変形例のデフロスト運転としては、２通りの動作が考えられる。そして、この調湿装置は、デフロスト運転中において、何れか一方の動作だけを継続して行ってもよいし、必要に応じて２通りの動作を相互に切り換えるようにしてもよい。
【０３０６】
本変形例によれば、暖房中の暖かい室内空気を第２熱交換器（104）へ送ることで、第２熱交換器（104）の霜を短時間で確実に融かすことができる。また、本変形例によれば、デフロスト運転中において、第２熱交換器（104）のデフロストだけでなく、室内の換気をも行うことができる。更に、本変形例によれば、デフロスト運転中であっても、室内へ供給される空気の加湿を継続することができる。従って、第２熱交換器（104）のデフロストを行いながらも、加湿運転中と同様に室内へ供給される空気を加湿することが可能となる。
【０３０７】
−第３の変形例−
第３の変形例のデフロスト運転について、図３０を参照しながら説明する。
【０３０８】
調湿装置に取り込まれた室内空気は、第２吸着素子（82）の調湿側通路（85）へ流入する。この調湿側通路（85）を流れる間に、空気中の水蒸気が吸着剤に吸着される。第２吸着素子（82）で水分を奪われた空気は、第２熱交換器（104）へ送られる。
【０３０９】
一方、調湿装置に取り込まれた室外空気は、第２吸着素子（82）の冷却側通路（86）へ流入する。第２吸着素子（82）から出た室外空気は、再生熱交換器（102）を通過する際に加熱され、その後に二手に分流される。分流された室外空気は、その一方が第１吸着素子（81）へ送られ、残りが減湿後の室内空気と共に第２熱交換器（104）へ送られる。
【０３１０】
第１吸着素子（81）へ送られる室外空気は、第１吸着素子（81）の調湿側通路（85）へ流入する。この調湿側通路（85）では、導入された室外空気によって吸着剤が加熱され、吸着剤から水蒸気が脱離する。そして、吸着剤から脱離した水蒸気が室外空気に付与され、室外空気が加湿される。第１吸着素子（81）で加湿された室外空気は、休止中の第１熱交換器（103）を通過して室内へ供給される。つまり、デフロスト運転中であっても、室内へ供給される空気の加湿が行われる。
【０３１１】
このように、デフロスト運転中には、再生熱交換器（102）で加熱された室外空気が、室内空気と共に第２熱交換器（104）へ供給される。一方、加湿運転中には、第１又は第２吸着素子（81,82）で第２空気（室外空気）と熱交換した第１空気（室内空気）だけが第２熱交換器（104）へ供給される（図９参照）。従って、デフロスト運転中には、加湿運転時と異なる状態の空気が第２熱交換器（104）へ供給される。そして、デフロスト運転中には、第２熱交換器（104）へ供給される空気の温度が加湿運転中よりも上昇し、第２熱交換器（104）の霜が融解する。
【０３１２】
尚、本変形例のデフロスト運転では、第１吸着素子（81）と第２吸着素子（82）の状態が入れ替わっていてもよい。この場合、第１吸着素子（81）の冷却側通路（86）へは、取り込まれた室外空気が導入される。第１吸着素子（81）の調湿側通路（85）へは、取り込まれた室内空気が導入される。第２吸着素子（82）の調湿側通路（85）へは、再生熱交換器（102）で加熱された室外空気の残りが導入される。
【０３１３】
このように、本変形例のデフロスト運転としては、２通りの動作が考えられる。そして、この調湿装置は、デフロスト運転中において、何れか一方の動作だけを継続して行ってもよいし、必要に応じて２通りの動作を相互に切り換えるようにしてもよい。
【０３１４】
本変形例によれば、予め再生熱交換器（102）で加熱された空気を第２熱交換器（104）へ送ることで、第２熱交換器（104）の霜を短時間で確実に融かすことができる。従って、本変形例によれば、第２熱交換器（104）のデフロストを確実に行うことができ、更にはデフロスト運転に要する時間を短縮できる。
【０３１５】
また、本変形例によれば、デフロスト運転中において、第２熱交換器（104）のデフロストだけでなく、室内の換気をも行うことができる。更に、本変形例によれば、デフロスト運転中であっても、室内へ供給される空気の加湿を継続することができる。従って、第２熱交換器（104）のデフロストを行いながらも、加湿運転中と同様に室内へ供給される空気を加湿することが可能となる。
【０３１６】
尚、このデフロスト運転では、取り込んだ室内空気を室外へ排出する動作を行っているが、この室内空気の排気を停止することも可能である。つまり、デフロスト運転中には、取り込んだ室外空気の一部を室内へ供給して残りを室外へ排出する動作だけを行ってもよい。ただし、この場合、室内の換気は行われない。
【０３１７】
−第４の変形例−
第４の変形例のデフロスト運転について、図３１を参照しながら説明する。
【０３１８】
調湿装置に取り込まれた室外空気は、第２吸着素子（82）の調湿側通路（85）へ流入する。この調湿側通路（85）を流れる間に、室外空気中の水蒸気が吸着剤に吸着される。その際、調湿側通路（85）では吸着熱が発生し、この吸着熱によって室外空気の温度が上昇する。
【０３１９】
また、第２吸着素子（82）の冷却側通路（86）へは、暖房中の暖かい室内空気が流入する。第２吸着素子（82）では、調湿側通路（85）の室外空気と冷却側通路（86）の室内空気とが熱交換し、室内空気の温熱が室外空気に回収される。そして、第２吸着素子（82）の調湿側通路（85）から出た室外空気は、休止中の第１熱交換器（103）を通過して室内へ供給される。
【０３２０】
第２吸着素子（82）の冷却側通路（86）から出た室内空気は、再生熱交換器（102）を通過する際に加熱される。加熱された室内空気は、第２熱交換器（104）へ送られ、第２熱交換器（104）を通過後に室外へ排出される。
【０３２１】
このように、デフロスト運転中には、再生熱交換器（102）で加熱された室内空気が第２熱交換器（104）へ供給される。一方、加湿運転中には、第１又は第２吸着素子（81,82）で第２空気（室外空気）と熱交換した第１空気（室内空気）が第２熱交換器（104）へ供給される（図９参照）。従って、デフロスト運転中には、加湿運転時と異なる状態の空気が第２熱交換器（104）へ供給される。そして、デフロスト運転中には、第２熱交換器（104）へ供給される空気の温度が加湿運転中よりも上昇し、第２熱交換器（104）の霜が融解する。
【０３２２】
尚、本変形例のデフロスト運転では、第１吸着素子（81）と第２吸着素子（82）の状態が入れ替わっていてもよい。この場合、第１吸着素子（81）の冷却側通路（86）へ室内空気が導入され、第１吸着素子（81）の調湿側通路（85）へ室外空気が導入される。
【０３２３】
このように、本変形例のデフロスト運転としては、２通りの動作が考えられる。そして、この調湿装置は、デフロスト運転中において、何れか一方の動作だけを継続して行ってもよいし、必要に応じて２通りの動作を相互に切り換えるようにしてもよい。
【０３２４】
本変形例によれば、予め再生熱交換器（102）で加熱された空気を第２熱交換器（104）へ送ることで、第２熱交換器（104）の霜を短時間で確実に融かすことができる。従って、本変形例によれば、第２熱交換器（104）のデフロストを確実に行うことができ、更にはデフロスト運転に要する時間を短縮できる。
【０３２５】
また、本変形例によれば、デフロスト運転中において、第２熱交換器（104）のデフロストだけでなく、室内の換気をも行うことができる。また、換気のために排気される室内空気の温熱を給気される室外空気へ回収でき、換気に伴う暖房負荷の増大を抑制できる。
【０３２６】
−第５の変形例−
第５の変形例のデフロスト運転について、図３２を参照しながら説明する。
【０３２７】
調湿装置に取り込まれた室内空気は、第２吸着素子（82）の調湿側通路（85）へ流入する。この調湿側通路（85）から出た室内空気は、休止中の第１熱交換器（103）を通過して室内へ送り返される。
【０３２８】
一方、調湿装置に取り込まれた室外空気は、第２吸着素子（82）の冷却側通路（86）へ導入される。この冷却側通路（86）から出た室外空気は、再生熱交換器（102）を通過する際に加熱される。加熱された室外空気は、第２熱交換器（104）へ送られ、第２熱交換器（104）を通過後に室外へ送り返される。
【０３２９】
このように、デフロスト運転中には、再生熱交換器（102）で加熱された室外空気が第２熱交換器（104）へ供給される。一方、加湿運転中には、第１又は第２吸着素子（81,82）で第２空気（室外空気）と熱交換した第１空気（室内空気）が第２熱交換器（104）へ供給される（図９参照）。従って、デフロスト運転中には、加湿運転時と異なる状態の空気が第２熱交換器（104）へ供給される。そして、デフロスト運転中には、第２熱交換器（104）へ供給される空気の温度が加湿運転中よりも上昇し、第２熱交換器（104）の霜が融解する。
【０３３０】
尚、本変形例のデフロスト運転では、第１吸着素子（81）と第２吸着素子（82）の状態が入れ替わっていてもよい。この場合、第１吸着素子（81）の冷却側通路（86）へは、取り込まれた室外空気が導入される。第１吸着素子（81）の調湿側通路（85）へは、取り込まれた室内空気が導入される。第２吸着素子（82）の調湿側通路（85）へは、再生熱交換器（102）で加熱された室外空気が導入される。
【０３３１】
このように、本変形例のデフロスト運転としては、２通りの動作が考えられる。そして、この調湿装置は、デフロスト運転中において、何れか一方の動作だけを継続して行ってもよいし、必要に応じて２通りの動作を相互に切り換えるようにしてもよい。
【０３３２】
本変形例によれば、予め再生熱交換器（102）で加熱された空気を第２熱交換器（104）へ送ることで、第２熱交換器（104）の霜を短時間で確実に融かすことができる。従って、本変形例によれば、第２熱交換器（104）のデフロストを確実に行うことができ、更にはデフロスト運転に要する時間を短縮できる。
【０３３３】
尚、本変形例のデフロスト運転では、室内空気を一旦取り込んで再び室内へ送り返す動作を行っているが、この動作を停止することも可能である。つまり、デフロスト運転中には、取り込んだ室外空気を再生熱交換器（102）で加熱して第２熱交換器（104）へ送る動作だけを行ってもよい。
【図面の簡単な説明】
【図１】  実施形態に係る調湿装置の構成および除湿運転中の第１動作を示す分解斜視図である。
【図２】  実施形態に係る調湿装置での除湿運転中の第２動作を示す分解斜視図である。
【図３】  実施形態に係る調湿装置での加湿運転中の第１動作を示す分解斜視図である。
【図４】  実施形態に係る調湿装置での加湿運転中の第２動作を示す分解斜視図である。
【図５】  実施形態に係る調湿装置の要部を示す概略構成図である。
【図６】  実施形態に係る調湿装置の吸着素子を示す概略斜視図である。
【図７】  実施形態に係る冷媒回路の構成を示す配管系統図である。
【図８】  実施形態に係る調湿装置の除湿運転中の動作を概念的に示す説明図である。
【図９】  実施形態に係る調湿装置の加湿運転中の動作を概念的に示す説明図である。
【図１０】  実施形態に係る調湿装置でのデフロスト運転中の動作を示す分解斜視図である。
【図１１】  実施形態に係る調湿装置でのデフロスト運転中の動作を概念的に示す説明図である。
【図１２】  実施形態の変形例１に係る調湿装置でのデフロスト運転中の動作を示す分解斜視図である。
【図１３】  実施形態の変形例１に係る調湿装置でのデフロスト運転中の動作を概念的に示す説明図である。
【図１４】  実施形態の変形例２に係る調湿装置でのデフロスト運転中の動作を示す分解斜視図である。
【図１５】  実施形態の変形例２に係る調湿装置でのデフロスト運転中の動作を概念的に示す説明図である。
【図１６】  実施形態の変形例３に係る調湿装置でのデフロスト運転中の動作を示す分解斜視図である。
【図１７】  実施形態の変形例３に係る調湿装置でのデフロスト運転中の動作を概念的に示す説明図である。
【図１８】  実施形態の変形例４に係る調湿装置でのデフロスト運転中の動作を示す分解斜視図である。
【図１９】  実施形態の変形例４に係る調湿装置でのデフロスト運転中の動作を概念的に示す説明図である。
【図２０】  実施形態の変形例５に係る調湿装置でのデフロスト運転中の動作を示す分解斜視図である。
【図２１】  実施形態の変形例５に係る調湿装置でのデフロスト運転中の動作を概念的に示す説明図である。
【図２２】  実施形態の変形例６に係る調湿装置でのデフロスト運転中の動作を示す分解斜視図である。
【図２３】  実施形態の変形例６に係る調湿装置でのデフロスト運転中の動作を概念的に示す説明図である。
【図２４】  実施形態の変形例７に係る調湿装置でのデフロスト運転中の動作を示す分解斜視図である。
【図２５】  実施形態の変形例７に係る調湿装置でのデフロスト運転中の動作を概念的に示す説明図である。
【図２６】  実施形態の変形例８に係る調湿装置でのデフロスト運転中の動作を示す分解斜視図である。
【図２７】  実施形態の変形例８に係る調湿装置でのデフロスト運転中の動作を概念的に示す説明図である。
【図２８】  その他の実施形態の第１変形例に係る調湿装置でのデフロスト運転中の動作を概念的に示す説明図である。
【図２９】  その他の実施形態の第２変形例に係る調湿装置でのデフロスト運転中の動作を概念的に示す説明図である。
【図３０】  その他の実施形態の第３変形例に係る調湿装置でのデフロスト運転中の動作を概念的に示す説明図である。
【図３１】  その他の実施形態の第４変形例に係る調湿装置でのデフロスト運転中の動作を概念的に示す説明図である。
【図３２】  その他の実施形態の第５変形例に係る調湿装置でのデフロスト運転中の動作を概念的に示す説明図である。
【符号の説明】
（81）  第１吸着素子
（82）  第２吸着素子
（85）  調湿側通路
（86）  冷却側通路
（100） 冷媒回路
（102） 再生熱交換器（凝縮用熱交換器）
（103） 第１熱交換器
（104） 第２熱交換器（蒸発用熱交換器）
【図１】
0003649196.tif 000002
【図２】
0003649196.tif 000003
【図３】
0003649196.tif 000004
【図４】
0003649196.tif 000005
【図５】
0003649196.tif 000006
【図６】
0003649196.tif 000007
【図７】
0003649196.tif 000008
【図８】
0003649196.tif 000009
【図９】
0003649196.tif 000010
【図１０】
0003649196.tif 000011
【図１１】
0003649196.tif 000012
【図１２】
0003649196.tif 000013
【図１３】
0003649196.tif 000014
【図１４】
0003649196.tif 000015
【図１５】
0003649196.tif 000016
【図１６】
0003649196.tif 000017
【図１７】
0003649196.tif 000018
【図１８】
0003649196.tif 000019
【図１９】
0003649196.tif 000020
【図２０】
0003649196.tif 000021
【図２１】
0003649196.tif 000022
【図２２】
0003649196.tif 000023
【図２３】
0003649196.tif 000024
【図２４】
0003649196.tif 000025
【図２５】
0003649196.tif 000026
【図２６】
0003649196.tif 000027
【図２７】
0003649196.tif 000028
【図２８】
0003649196.tif 000029
【図２９】
0003649196.tif 000030
【図３０】
0003649196.tif 000031
【図３１】
0003649196.tif 000032
【図３２】
0003649196.tif 000033